(57)【要約】実効的な記録密度が高く、エラー訂正能力の高いデータを記録媒体、その記録装置及び再生装置を提供する。記録装置は、ランレングスリミット符号化方式を含む符号化方式により入力データを符号化して符号化データを生成し、前記符号化データからなる１個のデータストリームを複数個のデータブロックに分割して出力する符号化部と、少なくとも１個の前記データブロックの先頭に前の前記データブロックの最後の１ビットの符号化データと同じ値のデータを追加するデータ追加部と、記録部とを有する。当該記録装置により、プリピット領域と前記プリピット領域によって分断された複数のデータ記録領域とを有する記録媒体の各データ記録領域に、前記追加されたデータを含むデータブロックをそれぞれ記録する。
2002029811.tif 000002
【特許請求の範囲】
【請求項１】
プリピットを有するプリピット領域と、
前記プリピット領域によって分断されたデータ記録領域であって、且つランレングスリミット符号化方式を含む符号化方式により符号化された符号化データからなる１個のデータストリームを分割したデータブロックを記録した複数のデータ記録領域と、
を有し、
少なくとも１個のデータ記録領域において、少なくとも１ビットの所定の値のデータを前記データブロックの前に更に記録している、
ことを特徴とする記録媒体。
【請求項２】
プリピットを有するプリピット領域と、
前記プリピット領域によって分断されたデータ記録領域であって、且つランレングスリミット符号化方式を含む符号化方式により符号化された符号化データからなる１個のデータストリームを分割したデータブロックを記録した複数のデータ記録領域と、
を有し、
少なくとも１個のデータ記録領域において、前記データ記録領域の前の前記データ記録領域の最後の１ビットの前記符号化データと同じ値のデータを前記データブロックの前に更に記録している、
ことを特徴とする記録媒体。
【請求項３】
前記データブロックがランレングスリミット符号化方式による符号化前のデータ量に換算して２の整数倍のデータ量の前記符号化データを有することを特徴とする請求項１に記載の記録媒体。
【請求項４】
ランレングスリミット符号化方式を含む符号化方式により入力データを符号化して生成された符号化データからなる１個のデータストリームを分割した複数のデータブロックを生成する符号化部と、
分割された少なくとも１個の前記データブロックの先頭に少なくとも１ビットの所定の値のデータを追加して、追加されたデータを含むデータブロックを生成するデータ追加部と、
前記追加されたデータを含むデータブロックを記録媒体に記録する記録部と、
を有することを特徴とする記録装置。
【請求項５】
ランレングスリミット符号化方式を含む符号化方式により入力データを符号化して生成された符号化データからなる１個のデータストリームを分割した複数のデータブロックを生成する符号化部と、
分割された少なくとも１個の前記データブロックの先頭に前の前記データブロックの最後の１ビットの符号化データと同じ値のデータを追加することにより、追加されたデータを含むデータブロックを生成するデータ追加部と、
前記追加されたデータを含むデータブロックを記録媒体に記録する記録部と、
を有することを特徴とする記録装置。
【請求項６】
前記データブロックがランレングスリミット符号化方式による符号化前のデータ量に換算して２の整数倍のデータ量の前記符号化データを有することを特徴とする請求項４に記載の記録装置。
【請求項７】
前記符号化部又は前記データ追加部が、最後の前記符号化データの後にｎビット（ｎは任意の正の整数）の予め定められた値のデータを追加する、
ことを特徴とする請求項４から請求項６のいずれかの請求項に記載の記録装置。
【請求項８】
記録媒体に記録されている信号を再生して再生信号を出力する再生部と、
連続する２個の前記再生信号の差分である差分信号を生成する差分検出部と、
前記差分信号に基づいて２値化されたデータを生成する２値化データ生成部と、
前記２値化されたデータをランレングスリミット符号化方式で復号化する復号化部と、
を有することを特徴とする再生装置。
【請求項９】
ランレングスリミット符号化方式を含む符号化方式により符号化され、複数のデータブロックに分割されて記録されている符号化データを記録媒体から再生する再生部と、
前記データブロックの符号化データ及び次の前記データブロックの符号化データを使用して、前記データブロック又は次の前記データブロックの符号化データを復号化する復号化部と、
を有することを特徴とする再生装置。
【請求項１０】
記録媒体の複数のデータ記録領域のそれぞれから、データブロックと前記データブロックの前に更に記録された所定のデータとの再生信号を再生して出力する再生部と、
前記再生信号を２値化し、２値化信号を出力する２値化部と、
複数の前記データブロックの前記２値化信号を、少なくとも先頭のデータブロック以外の前記所定のデータを除いて、前記データ記録領域からの再生順に結合し、結合された前記２値化信号をランレングスリミット符号化方式で復号化する復号化部と、
を有することを特徴とする再生装置。
【請求項１１】
ランレングスリミット符号化方式を含む符号化方式により符号化された符号化データのデータストリームを記録媒体から再生する再生部と、
前記データストリームの符号化データの数、符号化回数、又は復号化されたデータの数をカウントするカウンタと、
前記カウンタの値に基づいて前記データストリームの最後の符号化データを検出するラスト符号化データ検出部と、
復号化の対象である符号化データが前記最後の符号化データであることを前記ラスト符号化データ検出部が検出すれば、少なくとも前記復号化の対象である符号化データ及び一定の値のデータを使用して前記復号化の対象である符号化データを復号化する復号化部と、
を有することを特徴とする再生装置。
【請求項１２】
ランレングスリミット符号化方式を含む符号化方式により入力データを符号化して生成された符号化データからなる１個のデータストリームを分割した複数のデータブロックを生成する符号化ステップと、
分割された少なくとも１個の前記データブロックの先頭に少なくとも１ビットの所定の値のデータを追加して、追加されたデータを含むデータブロックを生成するデータ追加ステップと、
前記追加されたデータを含むデータブロックを記録媒体に記録する記録ステップと、
を有することを特徴とする記録方法。
【請求項１３】
ランレングスリミット符号化方式を含む符号化方式により入力データを符号化して生成された符号化データからなる１個のデータストリームを分割した複数のデータブロックを生成する符号化ステップと、
分割された少なくとも１個の前記データブロックの先頭に前の前記データブロックの最後の１ビットの符号化データと同じ値のデータを追加することにより、追加されたデータを含むデータブロックを生成するデータ追加ステップと、
前記追加されたデータを含むデータブロックを記録媒体に記録する記録ステップと、
を有することを特徴とする記録方法。
【請求項１４】
前記データブロックがランレングスリミット符号化方式による符号化前のデータ量に換算して２の整数倍のデータ量の前記符号化データを有することを特徴とする請求項１２に記載の記録方法。
【請求項１５】
前記符号化ステップ又は前記データ追加ステップにおいて、最後の前記符号化データの後にｎビット（ｎは任意の正の整数）の予め定められた値のデータを追加することを特徴とする請求項１２から請求項１４のいずれかの請求項に記載の記録方法。
【請求項１６】
記録媒体に記録されている信号を再生して再生信号を出力する再生ステップと、
連続する２個の前記再生信号の差分である差分信号を生成する差分検出ステップと、
前記差分信号に基づいて２値化されたデータを生成する２値化データ生成ステップと、
前記２値化されたデータをランレングスリミット符号化方式で復号化する復号化ステップと、
を有することを特徴とする再生方法。
【請求項１７】
ランレングスリミット符号化方式を含む符号化方式により符号化され、複数のデータブロックに分割されて記録されている符号化データを記録媒体から再生する再生ステップと、
前記データブロックの符号化データ及び次の前記データブロックの符号化データを使用して、前記データブロック又は次の前記データブロックの符号化データを復号化する復号化ステップと、
を有することを特徴とする再生方法。
【請求項１８】
記録媒体の複数のデータ記録領域のそれぞれから、データブロックと前記データブロックの前に更に記録された所定のデータとの再生信号を再生して出力する再生ステップと、
前記再生信号を２値化し、２値化信号を出力する２値化ステップと、
複数の前記データブロックの前記２値化信号を、少なくとも先頭のデータブロック以外の前記所定のデータを除いて、前記データ記録領域からの再生順に結合し、結合された前記２値化信号をランレングスリミット符号化方式で復号化する復号化ステップと、
を有することを特徴とする再生方法。
【請求項１９】
ランレングスリミット符号化方式を含む符号化方式により符号化された符号化データのデータストリームを記録媒体から再生する再生ステップと、
前記データストリームの符号化データの数、符号化回数、又は復号化されたデータの数をカウントするカウンタステップと、
前記カウントした値に基づいて前記データストリームの最後の符号化データを検出するラスト符号化データ検出ステップと、
復号化の対象である符号化データが前記最後の符号化データであることを前記ラスト符号化データ検出部が検出すれば、少なくとも前記復号化の対象である符号化データ及び一定の値のデータを使用して前記復号化の対象である符号化データを復号化する復号化ステップと、
を有することを特徴とする再生方法。
【発明の詳細な説明】
技術分野
本発明はデジタルデータを記録した記録媒体、その記録装置、その記録方法、その再生装置及びその再生方法に関する。
背景技術
近年記録媒体にデジタルデータを記録するための種々の記録フォーマットが提唱されている。
以下、図面を用いて従来例の光ディスクの記録フォーマットを説明する。
図１２は一般に用いられている（１−７）符号化方式を用いた記録フォーマットの光磁気ディスクを示したものである。
図１２（ａ）は従来例の光磁気ディスクの概略的な全体構成である。
図１２（ａ）において、光磁気ディスク１２０１は光磁気ディスクの内周から外周に向かう螺旋状の記録トラックを有する。
記録トラックは、光磁気ディスクの半径方向に延びるプリピット領域（ヘッダ領域）１２０３により複数のデータ記録領域１２０２に分割されている。
プリピット領域（ヘッダ領域）１２０３は複数のプリピットで形成されたプリフォーマットデータを含み、当該プリフォーマットデータは６３Ｂｙｔｅのヘッダ部を構成する。
プリピット領域１２０３に記録されているヘッダ部と、データ記録領域１２０２に記録されているＧＡＰ等とを合わせて、１個のセクタを形成する（図１２（ｂ））。
図１２（ｂ）に示す括弧内の数字はそれぞれのデータのバイト数を示す。
６３Ｂｙｔｅのヘッダ部１２０３は、セクタ先頭を示す８Ｂｙｔｅのセクタマーク（ＳＭ）１２１０と、ＩＤ部を再生するための同期クロック生成用の２６ＢｙｔｅのＶＦＯ１（Ｖａｒｉａｂｌｅ　Ｆｒｅｑｕｅｎｃｙ　Ｏｓｃｉｌｌａｔｏｒ、１２１１）及び１６ＢｙｔｅのＶＦＯ２（１２１４）と、１ＢｙｔｅのＡＭ（１２１２及び１２１５）と、セクタのアドレス情報を含む５ＢｙｔｅのＩＤ１（１２１３）及び５ＢｙｔｅのＩＤ２（１２１６）と、１Ｂｙｔｅのポストアンブル（ＰＡ、１２１７）とを含み、プリピットでデータが形成されている。
データ記録領域１２０２は、８ＢｙｔｅのＧＡＰ（１２０４）、２７ＢｙｔｅのＶＦＯ３（１２０５）、４ＢｙｔｅのＳｙｎｃ（同期、１２０６）、２４５８Ｂｙｔｅのデータフィールド（１２０７）、１Ｂｙｔｅのポストアンブル（後置データ、ＰＡ、１２０８）、及び２３Ｂｙｔｅのバッファ部（１２０９）を含み、垂直磁気異方性を有する記録膜を磁化することによりデータが記録されている。
ＶＦＯ３（１２０５）は繰り返しの一定パターンの信号であって、データフィールド１２０７に記録されているデータを読み出すためのクロックの同期をとるために使用される。
またＳｙｎｃ１２０６は次に来るデータフィールド１２０７に記録されているデータのバイト同期を取るためのデータである。Ｓｙｎｃ１２０６はデータフィールド１２０７に記録されている先頭データの符号化又は復号化のためのデータを含んでも良い。
データフィールド１２０７には（１−７）符号化方式により符号化されたデータが記録されている。当該符号化されたデータの間には、再同期信号（ＲｅＳｙｎｃ信号）が一定間隔で繰り返し挿入されている。ディスクの欠陥等に起因する同期はずれがあっても、再同期信号によって同期を復帰させることが可能である。
ポストアンブル（後置データ）１２０８は（１−７）符号化方式により符号化された記録信号の最終データを復号化するための信号であり１バイトのデータである。ポストアンブル１２０８により、（１−７）符号化方式による符号化及び復号化がセクタ内で完結する。
バッファ部１２０９はモータの回転変動や記録基準クロックのジッタを吸収するために設けられている。
記録時の回転変動による記録位置の位相誤差は、ＶＦＯ３（１２０５）、データフィールド１２０７に挿入されている再同期信号、及びバッファ部（１２０９）によって吸収される。
セクタ単位でデータ処理を完結するために、データフィールド１２０７及びその他の信号は１バイトの整数倍のデータ量を有する。
（１−７）符号化方式について表１を用いて説明する。
記録媒体に記録される記録データにＤＣ成分が含まれると、波形干渉、低周波成分による波形歪、又は再生時のデータクロックの位相同期はずれ等の問題を生じる。
そこで、符号化データが一定以上のＤＣ成分を含まないような符号化方式により符号化したデータを記録することが好ましい。符号化データに含まれるＤＣ成分を抑えるために、変換後の符号化データが一定以上の長さで連続する同一の値のビット列を含まないようにする符号化方式、即ちランレングス（連続する同一の値のビット列の長さ）を制限した符号化方式であるランレングスリミット符号化方式が一般に採用されている（例えば０が一定の数以上連続しないようにする。）。
（１−７）符号化方式はランレングスを制限した符号化方式の一つであって、変換後の符号化データにおいては、値１が連続することがなく（１の前後は必ず０である。）、値０が連続する個数（ビット数）の最大値は７に制限されている（連続する０の個数は１個〜７個）。（１−７）符号化方式により、１ビットの符号化データの時間長をＴとすると、任意の０から１への変移点から次の０から１への変移点までの時間長は、２Ｔから８Ｔまでの間の時間長になる。これにより上記の問題が発生せず、再生信号からクロック情報を抽出することが可能となる。
（１−７）符号化方式の符号化データをさらにＮＲＺＩ方式（Ｎｏｎ−Ｒｅｔｕｒｎ　ｔｏ　Ｚｅｒｏ　Ｉｎｖｅｒｓｉｏｎ）により符号化することにより、情報を失うことなく信号の基本周波数を２分の１に下げることが出来る。これにより記録媒体に記録するデータのデータレートを上げることが出来る。１が連続しない（１−７）符号化方式の符号化データをＮＲＺＩ方式で符号化することは、事実上当該符号化データを２分の１に分周することを意味する。
表１に示す変換テーブルを用いて（１−７）符号化方式の符号化則を説明する。（１−７）符号化方式においては、２ビットの入力データを３ビットの符号化データに符号化する。その符号化変換則は、直前の符号化により生成された１ビットの符号化データ、符号化しようとする２ビットの入力データ（符号化の対象である入力データ）、及び当該符号化しようとする入力データに後続する２ビットの入力データ（次に符号化するデータ）の組み合わせによって決定される。
【表１】
2002029811.tif 000003
一方、（１−７）符号化方式による復号化においては、符号化された３ビットの符号化データを、表２に示す逆変換テーブルを用いて２ビットのデータに復号化する。その復号化変換則は、直前に復号化の対象であった３ビットの符号化データの最後の２ビット、復号化しようとする３ビットの符号化データ（復号化の対象である入力データ）、及び当該復号化しようとする符号化データに後続する２ビットの符号化データ（次に復号化する符号化データ）の組み合わせによって決定される。
【表２】
2002029811.tif 000004
このように（１−７）符号化方式においては、符号化された符号化データを復号化するためには復号化の対象である符号化データだけではなく、その符号化データの前に復号化の対象であった符号化データ及び後続する符号化データを用いる必要がある。
そこで、図１２に示した記録フォーマットにおいて、各セクタのデータ部１２０７の前に前置の符号化データを含むＳｙｎｃ１２０６を配置することによって先頭のデータを復号化出来るようにし、且つデータ部１２０７の後にポストアンブル（後置データ）１２０８を配置することによって最後のデータを復号化出来るようにしている。
他の符号化方式においては符号化又は復号化において前後のデータを必要とせず、符号化においては一義的に所定長さのデータ列が所定の変換テーブルによって所定の長さの符号化データ列に変換され、復号化においては一義的に所定長さの符号化データ列が所定の変換テーブルによって所定の長さのデータ列に変換される。このような符号化方式を採用している場合は、上記のようにデータ部の前後に復号化のためのデータを付加する必要はない。
例えば、ＡＳＭＯとよばれる規格においてはこのような符号化方式の１種であるＮＲＺＩ＋方式を採用することにより、分割されたデータ記録領域への分散記録を行っている。
また、従来の光メモリにおいては、信号の再生分解能はほとんど再生光の波長λと対物レンズの開口数（ＮＡ）で決まり、検出限界のピット周期はほぼλ／（２・ＮＡ）であった。しかし近年、再生光の波長を短くしたり、対物レンズの開口数を大きくすることは容易でないため、記録媒体や再生方法を工夫して情報の記録密度を上げる試みがなされている。特に光磁気記録媒体（光磁気ディスク）では情報の記録密度を上げるための様々な試みが提案されている。
例えば特開平６−２９０４９６号公報には、再生用光ビームに差し掛かった磁壁を次々と移動させ、この磁壁の移動を検出することによって前記の波長と対物レンズの開口数で決まる検出限界を越えて再生分解能を向上させる技術が開示されている（ＤＷＤＤ方式）。この技術では、再生用光ビームに差し掛かると磁壁が移動する第１の磁性層である再生層、記録信号を保持する記録層、記録層と再生層の磁気的な結合を制御するスイッチング層の内の少なくとも１層もしくはすべての層が各情報トラック間で磁気的に分離されていると、特に良好な再生信号が得られる。
このようにデータの書き換えを行うデータ領域はＤＷＤＤ方式等の超解像技術を用いることにより、記録密度をλ／（２・ＮＡ）の光学限界を超えて大きく向上させることができる。しかしながら、プリフォーマットされたアドレスやトラッキングを行うための制御情報は光ディスク上に凹凸のピットで刻まれる。これらのピットの記録密度は、λ／（２・ＮＡ）の値に依存する再生限界により一定の制限を受ける。このことは、光ディスクの記録密度の低下やフォーマット効率の低下という問題を生む。この点について以下簡単に説明する。
従来の光ディスクは、溝や溝間を記録トラックとして用いる。この溝からトラッキング制御用の信号を得るため、トラックピッチがこの溝からのトラッキングガイド信号を得るための光学的な分解能の制限が生じる。このために、トラックピッチを狭くすることが非常に困難となっていた。従来の記録再生方式では、トラックピッチを狭くすると隣接トラックからのクロストークによって再生が困難となる。このクロストークによって制限されるトラックピッチと溝からのトラッキング信号を得るための下限のトラックピッチがほぼ同等であるために、この問題は、従来の光ディスクでは大きな課題とはならなかった。しかしながらＤＷＤＤを用いた再生方式では、磁壁移動による超解像動作によって信号を読み出すために隣接トラックからのクロストークが低減できる。よって従来以上のトラック密度で記録再生することが可能である。しかしながら、トラッキングガイド信号を得るためトラックピッチの制限によってトラック密度の向上が実現できなかった。この課題を克服する手段として、隣接トラック間でトラッキング信号を検出するためのウォブルピットを共用し、データ記録領域が溝で構成されたサンプルサーボ方式の光ディスクが提案されている。（本出願の発明者と同一発明者による特許出願である、特願２０００−１８８２００、ＰＣＴ／ＪＰ０１／０５２３２（現在未公開の特許出願であり、従来技術ではない。））。この発明のよって高密度のトラックピッチが実現されている。
また、これらのピット部の記録密度が、λ／（２・ＮＡ）の値に依存する再生限界制限を受けことは、フォーマット効率の点で以下のような問題を生む。
例えば、アドレスが４０Ｂｙｔｅ、データが２０４８Ｂｙｔｅのセクタを考えた場合、従来の光ディスク（超解像再生方式を採用していないメディア）では、アドレス部（アドレスが記録される領域）の記録密度が０．５μｍ／ビットであり、データ部（データが記録される領域）の記録密度も同様に０．５μｍ／ビット程度となる。
この場合、アドレスデータが全データに占める割合（「アドレス冗長度」と言う。）は、０．５×４０×８／（０．５×（４０＋２０４８）×８）＝１．９１％となる。
ＤＷＤＤ方式（又はＣＡＤ方式、ＦＡＤ（Ｆｒｏｎｔ　Ａｐｅｒｔｕｒｅ　Ｄｅｔｅｃｔｉｏｎ）方式又はＲＡＤ（Ｒｅａｒ　Ａｐｅｒｔｕｒｅ　Ｄｅｔｅｃｔｉｏｎ）方式等）のような超解像再生方式を用いた光ディスクでは、アドレス部の記録密度は０．５μｍ／ビットであるが、データ部の記録密度が０．１μｍ／ビット程度となるために、アドレス冗長度が０．５×４０×８／（（０．５×４０＋０．１×２０４８）×８）＝８．９％と大幅に増大する。このフォーマット効率の悪さは、１セクタに１個のアドレスが付加された従来の光ディスクのフォーマット構造に由来するものである。
このフォーマット効率の悪さを克服するために、ディスクを複数のセグメントに分割し、このセグメントに１ピットのアドレスを付加する構造が提案されている。（本出願の発明者と同一発明者による特許出願である、特願平１１−０２１８８５、特願平１１−３２９２６５、特願２０００−３３９５１６（現在未公開の特許出願であり、従来技術ではない。））。これは、アドレスとセクターの１体１の対応関係を解消することによってフォーマット効率の向上を行っている。
ＤＷＤＤ等の超解像技術を用いて光ディスクの高密度化を実現する場合、トラック密度の向上が必要となるが、記録・再生光の光学的な分解能を超えたトラック密度が不可欠となる。この高密度化を実現するためには、従来の技術で記載したようにトラッキング方式としてサンプルサーボ方式が必要不可欠となる。サンプルサーボ方式の場合は、１回の書き換え単位であるセクターのデータを分割して複数のセグメントに記録する。このデータの分割記録を実現するために従来のサンプルサーボ方式を用いた光ディスク装置では、記録再生時に前後データの依存関係なしに変復調を行える変調符号が用いられている。例えば、ＨＳ規格ではＮＲＺＩ変調方式、ＡＳＭＯの規格ではＮＲＺＩ＋変調方式、ポジション変調方式としては、４−１５変調方式などである。これらの変調符号は、ランレングスの制限がない符号や、あっても非常にランレングス制限が長い符号である。
しかしながらＤＷＤＤを用いた記録再生膜で高密度記録を実現するためには、記録膜の再生特性に由来する変調符号の制限が発生する。ＤＷＤＤの再生信号は、光ビームの進行方向側の磁壁が移動することによって発生する。しかしながら、記録するマークの長さが長くなると、光ビームの進行方向と反対側の磁壁の移動も発生する。この磁壁移動によって発生する信号はゴースト信号と呼ばれ、データの再生に著しい害を及ぼす。このために、ゴースト信号の発生を防止する必要がある。ゴースト信号は、記録マークの長さがある一定以上となると発生する確率が高くなる。このためにＤＷＤＤ記録膜に記録される記録マークの長さはできるだけ短い方が望ましい。よって、ＤＷＤＤに用いる変調方式としては、ランレングス制限のある１−７符号，２−７符号などが適切な符号となる。
また、ディスクの記録容量を拡大するためには、線記録密度を向上させる必要がある。この場合、ＤＷＤＤ方式の記録再生膜に記録・再生できるマークの長さの限界が線記録密度の限界を決定することになる。これは、ＤＷＤＤ方式の再生信号強度が再生光の光学的な分解能にまったく依存しないからである。通常、ＤＷＤＤ方式の記録再生膜に記録・再生できるマークの長さの限界は、約０．１μｍ程度となる。この記録再生できるマーク長の限界以上に１ビットあたりの記録密度を向上させるためにも、ランレングス制限を持つ符号化を行いデータを記録・再生を行った方が有利となる。例えば、１−７符号化を行うと、記録できる最短のマーク長が０．１μｍの場合、線記録密度は０．０７５μｍ／ｂｉｔ、また２−７符号化を行った場合には、マーク長が０．１μｍの場合、線記録密度は０．０６７μｍ／ｂｉｔと記録できる最短のマーク長よりも１ビットあたりの長さを短くでき記録密度を向上させることができる。
従来の技術で記載したＡＳＭＯとよばれる規格においても、書き換え単位であるセクターを複数の記録領域に分割してＮＲＺＩ＋方式符号化をして記録を行っている。このＮＲＺＩ＋符号化はランレングスの制限が非常に長く、再生信号から復調用のクロックを抽出することは困難となる。このためにＡＳＭＯの規格では記録再生用のクロックをディスクに予め刻まれたピットから生成する外部クロックシステムとなっている。従来の一般的なサンプルサーボ方式においても、同様にディスクに予め刻まれたピットから記録再生のクロックが生成されている。しかしながら、このような方式でＤＷＤＤ方式のような超解像方式を用いて線記録密度を向上させようとすると以下のような課題が発生する。記録再生の基準クロックを生成するクロックピットは、超解像の再生は行えないので再生限界は光ビームの光学限界となる。通常この限界は約０．５μｍ程度となる。これに対して超解像方式によって読み出されるＤＷＤＤ方式の信号は、再生限界が０．１μｍ程度と５倍以上の再生限界が高くなっており、０．５μｍの再生限界で抽出された再生クロックでは、０．１μｍのマークを再生するためのクロックとして不十分でありクロックの精度が不足する。このために超解像方式によって高密度化実現するためには再生信号から精度の高い再生クロックを抽出する必要がある。しかしながら従来のＡＳＭＯの規格やサンプルサーボ方式の光ディスクでは、クロックピットから再生クロックを抽出することが前提となっており、変調符号も再生クロックを再生信号から抽出できない変調方式が用いられていた。書き換え単位であるセクターを複数の記録領域に分割して記録を行う従来のサンプルサーボ方式等の光ディスクのシステムにおいて、ＤＷＤＤ方式などの超解像を用いた高密度の記録再生を行うことができなかった。
上記課題を解決するためには、ランレングスリミット符号化方式（例えば（１−７）符号化方式等）を用いて記録マーク長の最短と最長の長さを制限し、長マークでのゴーストや単マークのビット再生不良を防止し、前記ランレングス制限から発生する再生信号の反転部から再生用のクロックを抽出する必要がある。さらには上述したようにトラック密度を向上させるために、サンプルサーボ方式を用いる必要があり、このためには書き換え単位であるセクターを複数の領域であるセグメントに分割して記録する必要が生じる。しかしながら、前記ランレングスリミット符号化方式においては、符号化及び復号化を１個のセクタ又は１個の連続するデータ記録領域内で完結するために、記録される符号化データの前後にそれぞれ前置データ及び後置データを配置する必要がある。
しかし、記録される符号化データの前後にそれぞれ前置データ及び後置データを配置することは、当該記録媒体の実効的なデータ記録密度を低下させる。
特に、記録トラックが多くのデータ記録領域に分割されており且つ符号化及び復号化が１個の連続するデータ記録領域内で完結するようにデータが記録されている場合（例えばディスク形状の記録媒体の１周が１０００個以上のデータ記録領域に分割されている場合）、当該記録媒体の実効的なデータ記録密度（単位面積当たりの記録データのデータ量（チャンネルビット数）を符号化前のデータ（入力データ）のデータ量に換算した密度）は大きく低下する。
更にサンプルサーボ方式によってトラック密度を向上させ書き換え単位であるセクターを複数の領域であるセグメントに分割して記録する場合以下のような課題も発生する。トラッキングサーボ信号を検出するピット領域近傍のデータ記録領域で、プリピット領域の影響を受けてデータ記録領域の複屈折が変化して、これが再生信号のエンベローブ変動となる。（このエンベローブの変動を、以下スキュー歪みとする。）再生装置において、当該スキュー歪みにより再生信号の２値化（１ビットのデジタル化）が困難となり、プリピット領域の近傍がデータ記録領域として使用でず高密度化の光ディスクの記録密度を低下させる原因となっていた。また、できる限りこのスキュー歪みを小さくして、プリピット領域近傍のデータ記録領域を使用する方法もあるが、この場合このスキュー歪みが、再生を行う光ピックアップのＰ偏光とＳ偏光での位相差によって大きく変化し、スキュー歪みの少ない再生を行うためには、光ピックの位相差を±５°以内にする必要がある。これも高密度の光ディスクの実用化を困難なものにしていた。
本発明は、書き換え単位であるセクタデータをランレングス制限を付加された符号化を行い、複数の領域に分割して記録する手段を提供することによって、高密度な光ディスクを提供することを目的とする。データ記録領域が光学的な分解能を超えた超解像方式によって記録再生を行う記録再生媒体の場合、本発明は更に大きな効果をもたらす。又、本発明は、スキュー歪みを有する（低周波の波形歪み）再生信号又は連続する２個の再生信号の差分信号を正確に２値化することが容易なデータを記録した記録媒体を実現することを目的とする。
発明の開示
第１の発明は、プリピットを有するプリピット領域と、前記プリピット領域によって分断されたデータ記録領域であって、且つランレングスリミット符号化方式を含む符号化方式により符号化された符号化データからなる１個のデータストリームを分割したデータブロックを記録した複数のデータ記録領域と、を有し、少なくとも１個のデータ記録領域において、少なくとも１ビットの所定の値のデータを前記データブロックの前に更に記録している、ことを特徴とする記録媒体である。
従来の記録媒体においては、１個のデータ記録領域で符号化及び復号化を完結させていた。
例えば、ランレングスリミット符号化方式を採用した従来の記録媒体においては、各データ記録領域に前置のデータと、データブロックと、後置のデータとを記録し、各データ記録領域毎に符号化及び復号化が完結する構成を有していた。
各データ記録領域の先頭に前置のデータ（例えば００１等）を追加して記録することによりデータブロックの先頭のデータを復号化することが出来、各データ記録領域の最後に一定のデータ（例えば００１等）を追加して記録することにより、データブロックの最後のデータ（追加したデータを除く。）を復号化することが出来る。
ランレングスリミット符号化方式を採用した従来の記録媒体においては１個のデータ記録領域ごとに符号化及び復号化を完結させていた故に、各データ記録領域の先頭及び最後に復号化用のデータを追加記録する必要があり、記録媒体全体での実効的な記録密度を悪化させていた。
本発明は、各データ記録領域（例えば各セグメントのデータ記録領域）の符号化データとその前後のデータ記録領域の符号化データとの間に連続性を持たせることにより、実効的に高い記録密度の記録媒体を実現出来るという作用を有する。
本発明により、例えば１セクタ分（記録又は再生するデータのまとまりの単位。実施例においては１個のＥＣＣブロック）のデータ量を、わずかなデータを追加することにより、複数のセグメントに分割して記録することが出来る。
従って、従来の記録媒体と異なり、本発明の記録媒体においては１個のデータ記録領域（例えば１個のセグメントのデータ記録領域）のチャンネルビット数（記録可能なビット数）を１セクタ分のチャンネルビット数と等しくする必要がない。本発明の記録媒体は、従来の記録媒体に比べてフォーマットを規定する上での自由度が大きい。
本発明は、記録密度の高い記録媒体を実現することが出来るという作用を有する。
本発明は、特に１セクタが多くのデータ記録領域に分割されている記録媒体（例えば、１周の長さの記録トラックが１０００個以上のデータ記録領域に分割されたディスク形状の記録媒体）において、実効的な記録密度が高い記録媒体を実現するという作用を有する。
例えば光ディスクにおいて、光ビームのビームスポットがプリピット領域からデータ記録領域に移動した直後の部分で再生信号が大きな低周波のスキュー歪みを有する。それ故に、従来の記録媒体においては再生した再生信号を２値化することが困難であった。
本発明の記録媒体においては、各データ記録領域の最初に１ビット以上の所定の付加データが記録されているために、実施例の再生装置のように、そのことを利用して再生信号を正確に２値化することが出来る。
本発明は、スキュー歪みを有する（低周波の波形歪み）再生信号を再生装置で正確に２値化することが容易な記録媒体を実現することが出来るという作用を有する。
「ランレングスリミット符号化方式を含む符号化方式により符号化された符号化データからなる１個のデータストリームを分割したデータブロックを記録した複数のデータ記録領域」とは、ランレングスリミット符号化方式を含む符号化方式により符号化された符号化データのデータストリームであって、隣接する符号化データが相互に関連付けられたデータストリームが、複数のデータ記録領域に記録されていることを意味する。
従って、例えばデータ記録領域に記録されたデータブロックの先頭の符号化データを復号化するためには、前のデータブロックの符号化データを使用し、又は、データ記録領域に記録されたデータブロックの最後の符号化データを復号化するためには、次のデータブロックの符号化データを使用する。
それ故に、各データ記録領域毎に先頭に復号化用のデータを追加して記録する必要がなく（先頭のデータ記録領域を除く。）、各データ記録領域毎に最後に復号化用のデータを追加して記録する必要がない（最後のデータ記録領域を除く。）。
なお、例えばデータ記録領域に記録されたデータブロックの先頭の符号化データを復号化するために、前のデータブロックの符号化データを使用する必要がなければ、当該データブロックと前のデータブロックとは異なるデータストリームに属する。
「プリピット」とは、記録媒体に設けられた物理的な凹部又は凸部である。例えば、光ディスク基板の上に設けられたプリピットである。
「ランレングスリミット符号化方式」とは、（１−７）符号化方式及び（２−７）符号化方式等を含む。）等を含む。このような符号化方式は一般に同一の記録密度の場合、最短の記録マークを１ビットあたりの記録密度より長くすることが可能であり、かつ最長の記録マークが制限されるために再生信号より再生のための基準クロックの生成が可能となる。
「記録媒体」は、デジタルデータを記録した任意の媒体（任意の記録素子、任意の形状の媒体）である。例えば、光ディスク（相変化光ディスク、光磁気ディスク等を含む。）、磁気カード等を含む。
「少なくとも１ビットの所定の値のデータ」とは、既知の値でも良く、再生時に未知の値でも良い。「既知」とは、当該データを記録する時点又は再生する時点で既知であればよい。例えば、一定の値（０又は１）でもよく、直前のデータブロックの最後の１ビットのデータ（当該１ビットのデータを記録する時点で既知になっている。）又は直前のデータ記録領域に記録された最後の１ビットのデータ（当該１ビットのデータを再生する時点で既知になっている。）でもよい。
追加されるデータのチャンネルビット数は、１以上の任意の数である。
第２の発明は、プリピットを有するプリピット領域と、前記プリピット領域によって分断されたデータ記録領域であって、且つランレングスリミット符号化方式を含む符号化方式により符号化された符号化データからなる１個のデータストリームを分割したデータブロックを記録した複数のデータ記録領域と、を有し、少なくとも１個のデータ記録領域において、前記データ記録領域の前の前記データ記録領域の最後の１ビットの前記符号化データと同じ値のデータを前記データブロックの前に更に記録している、ことを特徴とする記録媒体である。
本発明は、各データ記録領域の符号化データとその前後のデータ記録領域の符号化データとの間に連続性を持たせることにより、実効的に高い記録密度の記録媒体を実現出来るという作用を有する。
本発明は、実効的に高い記録密度で記録する記録媒体を実現出来るという作用を有する。
本発明は、スキュー歪み（低周波の波形歪み）を有する再生信号を再生装置で正確に２値化することが容易な記録媒体を実現することが出来るという作用を有する。
更に、例えばランレングスリミット符号化方式により符号化し且つＮＲＺＩ変換した符号化データを記録した本発明の記録媒体の再生装置においては、連続する２個の再生信号の差分信号を生成することにより、スキュー歪みの影響を受けることなくＮＲＺＩ変換された符号化データを復号化し、誤り訂正をすることが出来る。
本発明は、簡易な構成の再生装置により再生可能な記録媒体を実現できるという作用を有する。
「前の前記データ記録領域の最後の１ビットの前記符号化データと同じ値のデータ」の数は１ビットでも良く、複数ビット（当該複数ビットは全て「最後の１ビットの前記符号化データと同じ値」である。）でも良い。
第３の発明は、前記データブロックがランレングスリミット符号化方式による符号化前のデータ量に換算して２の整数倍のデータ量の前記符号化データを有することを特徴とする第１の発明の記録媒体である。
例えば（１−７）符号化方式においては、２ビットの入力データを３ビットに変換し、３ビット（チャンネルビットの数）を単位として符号化データが生成される。
本発明の記録媒体に記録されたデータブロックは２の整数倍のデータ容量を有する（データブロックの容量はランレングスリミット符号化方式による符号化前の実効的なデータサイズで表している。）故に、３ビットのチャンネルビット（２ビットの入力データに対応する。）を単位としてデータを符号化する符号化器及び３ビットのチャンネルビットを単位としてデータを復号化する復号化器の制御回路を簡素化できる（特に隣接するデータブロックのつなぎ目の処理回路を簡素化できる。）。
又、従来の８ビット単位等に比べて値の小さな２ビット単位でデータブロックのサイズを選択出来る。
各データ記録領域に物理的に記録可能なチャンネルビット数をＮ、データブロック以外のデータのチャンネルビット数をＫ、データの処理単位をＬ、チャンネルビット数Ｎの中の使用されないチャンネルビット数をＰとすると、データブロックの最適のチャンネルビット数Ｍは、下記の式で表される。
Ｍ＝Ｌ×ＴＲＵＮＣ（（Ｎ−Ｋ）／Ｌ）
Ｐ＝Ｎ−（Ｍ＋Ｋ）＝ＭＯＤ（（Ｎ−Ｋ）／Ｌ）
ＴＲＵＮＣ（）は、（）内の数値の整数部分のみからなる数を生成する（小数点以下を切り捨てる）関数である。ＭＯＤ（）は、（）内の割算の剰余を示す関数である。
例えばチャンネルビット数が８ビットの整数倍である従来の記録媒体においてはＰの最大値は７ビットであるが、本発明の記録媒体においてはＰの最大値はチャンネルビットの数で表示して２チャンネルビットである。
本発明は、無駄が、少なく高い記録密度の記録媒体を実現出来るという作用を有する。
第４の発明は、ランレングスリミット符号化方式を含む符号化方式により入力データを符号化して生成された符号化データからなる１個のデータストリームを分割した複数のデータブロックを生成する符号化部と、分割された少なくとも１個の前記データブロックの先頭に少なくとも１ビットの所定の値のデータを追加して、追加されたデータを含むデータブロックを生成するデータ追加部と、前記追加されたデータを含むデータブロックを記録媒体に記録する記録部と、を有することを特徴とする記録装置である。
本発明は、各データ記録領域の符号化データとその前後のデータ記録領域の符号化データとの間に連続性を持たせることにより、実効的に高い記録密度で符号化データを記録媒体に記録する記録装置を実現出来るという作用を有する。
本発明は、特に１セクタが多くのデータ記録領域に分割されている記録媒体（例えば、１周の長さの記録トラックが１０００個以上のデータ記録領域に分割されたディスク形状の記録媒体）に、実効的に高い記録密度で符号化データを記録する記録装置を実現出来るという作用を有する。
また光ディスクにおいて、光ビームのビームスポットがプリピット領域からデータ記録領域に移動した直後の再生信号が大きな低周波のスキュー歪みを有する故に、従来、再生信号の２値化が困難であった。本発明の記録装置は、各データ記録領域の最初に所定のデータを記録する。それ故、本発明の再生装置により、例えば実施例の再生装置のように、そのことを利用して再生信号を正確に２値化することが出来る。本発明は、再生信号がスキュー歪み（低周波の波形歪み）を有していても、追加されたデータを利用することにより、再生信号を正確に２値化することが可能なデータを記録する記録装置を実現することが出来るという作用を有する。
「追加されたデータを含むデータブロック」とは、少なくとも１ビットの所定の値のデータとデータブロックとを合わせたものを意味する。
符号化部は、最初に入力データを分割して複数のデータブロックを生成し、それぞれのデータブロックをランレングスリミット符号化方式を含む符号化方式により符号化して複数の符号化データのデータブロックを生成しても良い。
又、符号化部は、最初に１個のデータストリームをランレングスリミット符号化方式を含む符号化方式により符号化し、その後符号化されたデータストリームを複数のデータブロックに分割しても良い。
又、符号化部は、最初に１個のデータストリームをランレングスリミット符号化方式により符号化し、その後符号化されたデータストリームを複数のデータブロックに分割し、その後各データブロックを他の変換方式（例えばＮＲＺＩ変換）により変換しても良い。
各発明における符号化部は、上記の全ての構成を含み、又上記の例示に限定されるものではない。第５の発明の符号化部並びに第１１の発明、第１２の発明の符号化ステップも同様である。
符号化部とデータ追加部とは別個独立のブロックを構成しても良く、両者が不可分に一体化した構造であっても良い。
第５の発明は、ランレングスリミット符号化方式を含む符号化方式により入力データを符号化して生成された符号化データからなる１個のデータストリームを分割した複数のデータブロックを生成する符号化部と、分割された少なくとも１個の前記データブロックの先頭に前の前記データブロックの最後の１ビットの符号化データと同じ値のデータを追加することにより、追加されたデータを含むデータブロックを生成するデータ追加部と、前記追加されたデータを含むデータブロックを記録媒体に記録する記録部と、を有することを特徴とする記録装置である。
本発明は、各データ記録領域の符号化データとその前後のデータ記録領域の符号化データとの間に連続性を持たせることにより、実効的に高い記録密度で記録媒体にデータを記録する記録装置を実現出来るという作用を有する。
本発明は、実効的に高い記録密度でエラー訂正能力の高い符号化データを記録媒体に記録する記録装置を実現出来るという作用を有する。
本発明は、スキュー歪み（低周波の波形歪み）を有する再生信号を再生装置で正確に２値化することが容易なデータを記録媒体に記録する記録装置を実現することが出来るという作用を有する。
本発明は、簡易な構成の再生装置により再生可能なデータを記録媒体に記録する記録装置を実現できるという作用を有する。
第６の発明は、前記データブロックがランレングスリミット符号化方式による符号化前のデータ量に換算して２の整数倍のデータ量の前記符号化データを有することを特徴とする第４の発明の記録装置である。
本発明の記録媒体に記録されたデータブロックは２の整数倍のデータ容量を有する（データブロックの容量はランレングスリミット符号化方式による符号化前の実効的なデータサイズで表している。）故に、３ビットのチャンネルビット（２ビットの入力データに対応する。）を単位としてデータを符号化する符号化器及び３ビットのチャンネルビットを単位としてデータを復号化する復号化器の制御回路を簡素化できる（特に隣接するデータブロックのつなぎ目の処理回路を簡素化できる。）。
又、従来の８ビット単位等に比べて値の小さな２ビット単位でデータブロックのサイズを選択出来る。
本発明は、無駄が少なく高い記録密度でデータを記録媒体に記録する簡易な構成の記録装置を実現出来るという作用を有する。
第７の発明は、前記符号化部又は前記データ追加部が、最後の前記符号化データの後にｎビット（ｎは任意の正の整数）の予め定められた値のデータを追加する、ことを特徴とする第４の発明から第６の発明のいずれかの発明の記録装置である。
符号化の対象であるデータの後のデータも使用して符号化するランレングスリミット符号化方式により符号化された符号化データを記録して再生した場合は、前記データストリームの最後のデータを復号化するには、更にその後のデータを必要とする。
そこで、本発明の記録装置は、前記データストリームの最後の符号化データの後に、一定の値のデータ（例えば００１）を追加する。これにより再生装置において、前記データストリームの最後のデータを復号化することが出来る。
ｎは任意の値である。例えば、前記データストリームの最後のデータの後にｎビットのデータを追加して記録し、当該ｎビットのデータの後に更にｋビット（ｋは任意の正の整数）の任意のデータを記録することも出来る。
第８の発明は、記録媒体に記録されている信号を再生して再生信号を出力する再生部と、連続する２個の前記再生信号の差分である差分信号を生成する差分検出部と、前記差分信号に基づいて２値化されたデータを生成する２値化データ生成部と、前記２値化されたデータをランレングスリミット符号化方式で復号化する復号化部と、を有することを特徴とする再生装置である。
光ディスク等において、光ビームのビームスポットがプリピット領域からデータ記録領域に移動した直後の再生信号が大きな低周波のスキュー歪みを有する故に、従来、再生信号の２値化が困難であった。
本発明の再生装置においては、例えば連続する２個の再生信号をアナログ信号のまま減算して差分信号（アナログの差分信号）を生成し、又は連続する２個の再生信号を複数ビットのデジタル信号（例えば１０ビットデータ）に変換した後当該連続する２個の複数ビットのデジタル信号の差分信号（複数ビットの差分信号）を生成する。その後、当該差分信号の２値化を行う。
最初にアナログ又は複数ビットの差分信号を生成することにより、再生信号がスキュー歪み（低周波の波形歪み）を有していても当該スキュー歪みはキャンセルされて当該差分信号には含まれない。
本発明は、スキューの影響を受けることなく再生信号を正確に２値化する再生装置を実現出来るという作用を有する。
例えばＮＲＺＩ変換された符号化データを再生する従来の再生装置においては、再生信号をいったん２値化した後、連続する２個の２値化した再生信号の差分信号を生成することにより復号化していた故、スキューの影響を受けた。
本発明は、スキューの影響を受けることなく再生信号を正確に２値化し、同時にＮＲＺＩ変換された再生信号を復号化（逆変換）する再生装置を実現出来るという作用を有する。
第９の発明は、ランレングスリミット符号化方式を含む符号化方式により符号化され、複数のデータブロックに分割されて記録されている符号化データを記録媒体から再生する再生部と、前記データブロックの符号化データ及び次の前記データブロックの符号化データを使用して、前記データブロック又は次の前記データブロックの符号化データを復号化する復号化部と、を有する復号化器と、を有することを特徴とする再生装置である。
本発明は、各データ記録領域の符号化データとその前後のデータ記録領域の符号化データとの間に連続性を持たせることにより実効的に高い記録密度で記録媒体に記録されている符号化データを再生し、復号化する再生装置を実現出来るという作用を有する。
例えばランレングスリミット符号化方式の従来の再生装置においては、各データブロック内のみで復号化が完結出来るようなデータブロックを各データ記録領域に記録した記録媒体から信号を再生することしか出来なかった。
本発明は、特に１セクタ分のデータが多くのデータ記録領域に分割されて（例えば、ディスク形状の記録媒体の各記録トラック（それぞれディスク１周の長さを有する。）が１０００個以上のデータ記録領域に分割されている。）、実効的に高い記録密度で記録されている記録媒体の再生装置を実現出来るという作用を有する。
第１０の発明は、記録媒体の複数のデータ記録領域のそれぞれから、データブロックと前記データブロックの前に更に記録された所定のデータとの再生信号を再生して出力する再生部と、前記再生信号を２値化し、２値化信号を出力する２値化部と、複数の前記データブロックの前記２値化信号を、少なくとも先頭のデータブロック以外の前記所定のデータを除いて、前記データ記録領域からの再生順に結合し、結合された前記２値化信号をランレングスリミット符号化方式で復号化する復号化部と、を有することを特徴とする再生装置である。
本発明は、ランレングスリミット符号化方式で符号化したデータストリームを複数のデータブロックに分割し、それぞれのデータブロックを各データ記録領域に記録することにより、実効的に高い記録密度で記録媒体に記録されている符号化データを再生し、復号化する再生装置を実現出来るという作用を有する。所定のデータを使用して例えば実施例のように再生信号を２値化することにより、再生信号をスキューの影響を受けることなく２値化することが出来る。
所定のデータは、１ビット以上の任意のデータである。
復号化部が、２値化信号から少なくとも先頭のデータブロック以外の所定のデータを除いて復号化をしても良く、２値化器がこれらの所定のデータを２値化しないくても良い（実施例においては後者である。）。
第１１の発明は、ランレングスリミット符号化方式を含む符号化方式により符号化された符号化データのデータストリームを記録媒体から再生する再生部と、前記データストリームの符号化データの数、符号化回数、又は復号化されたデータの数をカウントするカウンタと、前記カウンタの値に基づいて前記データストリームの最後の符号化データを検出するラスト符号化データ検出部と、復号化の対象である符号化データが前記最後の符号化データであることを前記ラスト符号化データ検出部が検出すれば、少なくとも前記復号化の対象である符号化データ及び一定の値のデータを使用して前記復号化の対象である符号化データを復号化する復号化部と、を有することを特徴とする再生装置である。
復号化時に後続する符号化データを使用するランレングスリミット符号化方式を含む符号化方式の従来の再生装置においては、データストリームの最後の符号化データを復号化するために、当該最後の符号化データに後続する符号化データを記録媒体から再生する必要があった。
本発明の再生装置は、再生装置が有する一定の値のデータ（典型的には復号化器が有するデータである。）を使用して最後の符号化データを復号化する。
本発明は、最後の符号化データを復号化するためのデータを記録していない記録媒体から再生した再生信号を復号化できる再生装置を実現出来るという作用を有する。
カウンタ及びラスト符号化データ検出部は、符号化データ等の数を直接カウントしても良く、符号化データの数を間接的にカウントしても良い。実質的にデータストリームの符号化データの数、符号化回数、又は復号化されたデータの数をカウントするものを全て含む。
例えば１ビットずつ又は３ビットずつチャンネルビットをカウントすることである。例えば符号化変換の変換回数をカウントすること又は復号化されたデータの数（クロック数）をカウントすることである。
１回の符号化変換により３ビットの符号化データが生成される故に、下記の式により符号化変換の変換回数をカウントすることに基づいて符号化データの数を算出可能である。
符号化データの数＝３×符号化変換の変換回数
同様に、例えば（１−７）符号化方式により符号化された符号化データであれば、３ビットの符号化データを復号化することにより２ビットの復号化されたデータが生成される故に、下記の式により復号化されたデータの数をカウントすることに基づいて符号化データの数を算出可能である。
符号化データの数＝１．５×復号化されたデータの数
例えば、１セグメント（プリピット領域を含む。）当たり９００個の再生クロック（符号化データのクロック）を生成し、１１１個目から８９０個目までの再生クロックで符号化データを再生し（１個目〜１１０個目及び８９１個目〜９００個目はデータが記録されていない領域（プリピット領域等）である。）、４１０個目がラスト符号化データである場合（１１１個目から４１０個目までにデータが記録される。）を例示する。
カウンタが１１０個目の再生クロックでリセットされ（０になる。）、カウンタの値が３００（４１０個目）になった時にラスト符号化データ検出部がラスト符号化データを検出する。
又は、カウンタが０個目（＝９００個目）の再生クロックでリセットされ（０になる。）、カウンタの値が４１０（４１０個目）になった時にラスト符号化データ検出部がラスト符号化データを検出する（１個目〜１１０個目に符号化データがないことが分かっている故に、実質的にデータストリームの符号化データの数をカウントしている。）。
上記の例示等の方法により、ラスト符号化データを検出する。
第１２の発明は、ランレングスリミット符号化方式を含む符号化方式により入力データを符号化して生成された符号化データからなる１個のデータストリームを分割した複数のデータブロックを生成する符号化ステップと、分割された少なくとも１個の前記データブロックの先頭に少なくとも１ビットの所定の値のデータを追加して、追加されたデータを含むデータブロックを生成するデータ追加ステップと、前記追加されたデータを含むデータブロックを記録媒体に記録する記録ステップと、を有することを特徴とする記録方法である。
本発明は、各データ記録領域の符号化データとその前後のデータ記録領域の符号化データとの間に連続性を持たせることにより、実効的に高い記録密度で符号化データを記録媒体に記録する記録方法を実現出来るという作用を有する。
本発明は、特に１セクタが多くのデータ記録領域に分割されている記録媒体（例えば、１周の長さの記録トラックが１０００個以上のデータ記録領域に分割されたディスク形状の記録媒体）に、実効的に高い記録密度でランレングス制限を持った符号化データを記録する記録方法を実現出来るという作用を有する。
本発明の記録方法は、各データ記録領域の最初に所定のデータを記録する。それ故、本発明の再生方法により、例えば実施例の再生方法のように、そのことを利用して再生信号を正確に２値化することが出来る。
本発明は、再生信号がスキュー歪み（低周波の波形歪み）を有していても、追加されたデータを利用することにより、再生信号を正確に２値化することが可能なデータを記録する記録方法を実現することが出来るという作用を有する。
第１３の発明は、ランレングスリミット符号化方式を含む符号化方式により入力データを符号化して生成された符号化データからなる１個のデータストリームを分割した複数のデータブロックを生成する符号化ステップと、分割された少なくとも１個の前記データブロックの先頭に前の前記データブロックの最後の１ビットの符号化データと同じ値のデータを追加することにより、追加されたデータを含むデータブロックを生成するデータ追加ステップと、前記追加されたデータを含むデータブロックを記録媒体に記録する記録ステップと、を有することを特徴とする記録方法である。
本発明は、各データ記録領域の符号化データとその前後のデータ記録領域の符号化データとの間に連続性を持たせることにより、実効的に高い記録密度で記録媒体にデータを記録する記録方法を実現出来るという作用を有する。
本発明は、実効的に高い記録密度でエラー訂正能力の高い符号化データを記録媒体に記録する記録方法を実現出来るという作用を有する。
本発明は、スキュー歪み（低周波の波形歪み）を有する再生信号を再生装置で正確に２値化することが容易なデータを記録媒体に記録する記録方法を実現することが出来るという作用を有する。
第１４の発明は、前記データブロックがランレングスリミット符号化方式による符号化前のデータ量に換算して２の整数倍のデータ量の前記符号化データを有することを特徴とする第１２の記録方法である。
本発明の記録方法により記録媒体に記録されるデータブロックは２の整数倍のデータ容量を有する（データブロックの容量はランレングスリミット符号化方式による符号化前の実効的なデータサイズで表している。）故に、３ビットのチャンネルビット（２ビットの入力データに対応する。）を単位としてデータを符号化する符号化処理及び３ビットのチャンネルビットを単位としてデータを復号化する復号化処理を簡素化できる（特に隣接するデータブロックのつなぎ目の処理を簡素化できる。）。
又、従来の８ビット単位等に比べて値の小さな２ビット単位でデータブロックのサイズを選択出来る。
本発明は、無駄が少なく高い記録密度でデータを記録媒体に記録する安価な記録方法を実現出来るという作用を有する。
第１５の発明は、前記符号化ステップ又は前記データ追加ステップにおいて、最後の前記符号化データの後にｎビット（ｎは任意の正の整数）の予め定められた値のデータが追加される、ことを特徴とする第１２の発明から第１４の発明のいずれかの発明の記録方法である。
本発明の記録方法は、前記データストリームの最後の符号化データの後に、一定の値のデータ（例えば１）を追加する。これにより、再生装置において、最後の符号化データを復号化することが出来る。
第１６の発明は、記録媒体に記録されている信号を再生して再生信号を出力する再生ステップと、連続する２個の前記再生信号の差分である差分信号を生成する差分検出ステップと、前記差分信号に基づいて２値化されたデータを生成する２値化データ生成ステップと、前記２値化されたデータをランレングスリミット符号化方式で復号化する復号化ステップと、を有することを特徴とする再生方法である。
本発明は、スキューの影響を受けることなく再生信号を正確に２値化する再生方法を実現出来るという作用を有する。
第１７の発明は、ランレングスリミット符号化方式を含む符号化方式により符号化され、複数のデータブロックに分割されて記録されている符号化データを記録媒体から再生する再生ステップと、前記データブロックの符号化データ及び次の前記データブロックの符号化データを使用して、前記データブロック又は次の前記データブロックの符号化データを復号化する復号化ステップと、を有する復号化ステップと、を有することを特徴とする再生方法である。
本発明は、各データ記録領域の符号化データとその前後のデータ記録領域の符号化データとの間に連続性を持たせることにより実効的に高い記録密度で記録媒体に記録されている符号化データを再生し、復号化する再生方法を実現出来るという作用を有する。
本発明は、特に１セクタ分のデータが多くのデータ記録領域に分割され（例えば、ディスク形状の記録媒体の各記録トラック（それぞれディスク１周の長さを有する。）が１０００個以上のデータ記録領域に分割されている。）実効的に高い記録密度で記録されている記録媒体の再生方法を実現出来るという作用を有する。
第１８の発明は、記録媒体の複数のデータ記録領域のそれぞれから、データブロックと前記データブロックの前に更に記録された所定のデータとの再生信号を再生して出力する再生ステップと、前記再生信号を２値化し、２値化信号を出力する２値化ステップと、複数の前記データブロックの前記２値化信号を、少なくとも先頭のデータブロック以外の前記所定のデータを除いて、前記データ記録領域からの再生順に結合し、結合された前記２値化信号をランレングスリミット符号化方式で復号化する復号化ステップと、を有することを特徴とする再生方法である。
本発明は、ランレングスリミット符号化方式で符号化したデータストリームを複数のデータブロックに分割し、それぞれのデータブロックを各データ記録領域に記録することにより、実効的に高い記録密度で記録媒体に記録されている符号化データを再生し、復号化する再生方法を実現出来るという作用を有する。
所定のデータを使用して例えば実施例のように再生信号を２値化することにより、再生信号をスキューの影響を受けることなく２値化することが出来る。
第１９の発明は、ランレングスリミット符号化方式を含む符号化方式により符号化された符号化データのデータストリームを記録媒体から再生する再生ステップと、前記データストリームの符号化データの数、符号化回数、又は復号化されたデータの数をカウントするカウンタステップと、前記カウントした値に基づいて前記データストリームの最後の符号化データを検出するラスト符号化データ検出ステップと、復号化の対象である符号化データが前記最後の符号化データであることを前記ラスト符号化データ検出部が検出すれば、少なくとも前記復号化の対象である符号化データ及び一定の値のデータを使用して前記復号化の対象である符号化データを復号化する復号化ステップと、を有することを特徴とする再生方法である。
本発明は、最後の符号化データを復号化するためのデータを記録していない記録媒体から再生した再生信号を復号化できる再生方法を実現出来るという作用を有する。
発明の新規な特徴は添付の請求の範囲に特に記載したものに他ならないが、構成及び内容の双方に関して本発明は、他の目的や特徴と共に、図面と共同して理解されるところの以下の詳細な説明から、より良く理解され評価されるであろう。
発明を実施するための最良の形態
以下本発明の実施をするための最良の形態を具体的に示した実施例について図面とともに記載する。
《実施例１》
以下本発明の実施例１を説明する。
図１（ａ）は本発明の実施例１の記録媒体である光磁気ディスク１００の概略的な全体構成を示す。
図１（ａ）において、１０１は光ディスク基板、１０２は超解像再生の可能なＤＷＤＤ記録再生膜、１０３は第１の記録トラック、１０４は第１の記録トラックに隣接する第２の記録トラック、１０５は第１の記録トラック１０３及び第２の記録トラック１０４を１２８０個に分割したセグメント、１０６及び１１３はプリピット領域（プリフォーマット領域）である。
プリピット領域１０６及び１１３は、クロックピットとトラッキング用のサーボピットとディスクの位置情報を表すアドレスピットとを有する。
図示するように、第１の記録トラック１０３及び第２の記録トラック１０４は、それぞれ１１３のプリピット領域を起点及び終点にする螺旋状の領域であって、光磁気ディスクの内周から外周に向かって螺旋状の記録トラックを辿った場合に、第２の記録トラック１０４がプリピット領域１１３で終了し、第２の記録トラック１０４が終了した所（プリピット領域１１３）から、第１の記録トラック１０３が始まる。
図１（ａ）において、光磁気ディスクは直径約５０ｍｍの円盤であるが、第１の記録トラック１０３及び第２の記録トラック１０４のトラックピッチは約０．６μｍである。光磁気ディスクのフォーマット構成の説明を目的とする図１（ａ）においては、光磁気ディスク全体の大きさに較べて、相互に隣接する第１の記録トラック１０３及び第２の記録トラック１０４を著しく拡大して表示している。
図１（ｂ）は１個のセグメント１０５の概略的な拡大図である。
図１（ｂ）において、１０５はセグメント（１個の記録トラックと１個のプリピット領域により構成されている。）、１０６はプリピット領域（プリフォーマット領域）、１０７の長さを有する溝部（グルーブ部）１１１はデータの記録を行う記録トラック（データ記録領域）である。
プリピット領域１０６は、クロックピット１１５、ウォブルピット１０８、１０９、及びアドレス情報を１ビットづつ各セグメントの最初に分散的に配置したアドレスピット１１０を有する。
１０７の長さを有する溝間部（ランド部）１１４は、隣接する溝部を分離している。
クロックピット１１５は各セグメントの先頭に位置する。電圧制御発振器の出力信号を分周した分周信号と、各セグメントのクロックピットの検出信号とを同期させることにより、当該電圧制御発振器の出力信号を記録時のデータの符号化用の同期クロックとして使用することが出来る。当該電圧制御発振器の出力信号は、ウォブルピット１０８、１０９及びアドレスピット１１０を検出する窓クロックの生成回路のクロック信号としても用いられる。
また一対のウォブルピット１０８、１０９は記録トラック１０３、１０４の中心線に対して半トラック分だけ互いに反対方向にずれた位置に形成されており、記録トラック１０３、１０４の一周毎にその極性が反転する構成となっている。
前記ウォブルピット１０８、１０９からの反射光量の差異に基づいてトラッキング誤差信号が生成され、各ウォブルピット１０８、１０９からの反射光量が互いに等しくなるように光ビームのトラッキング制御が行われる。
アドレスピット１１０はピットの有無により各セグメントあたり１ビットの情報を与える。８０個のアドレスピット１１０が集まって１個の位置情報が生成される。当該位置情報は、光磁気ディスク上のトラック方向及び径方向のセグメント位置を表す。このアドレス情報の記録方法については、分散アドレスフォーマットに関する出願（特願平１１−０２１８８５、特願平１１−３２９２６５）に詳細が記載されている。
光ディスクの原盤をレーザービームによりエッチング加工し、当該原盤上にクロックピット、２個のウォブルピット、アドレスピット及び溝部を形成する。
インジェクション時にスタンパから転写することによって、光ディスク基板１０１にクロックピット１１５、ウォブルピット１０８、１０９、アドレスピット１１０及び溝部１１１が形成される。このインジェクション法によって成形されたポリカーボネート基板１０１上にＤＷＤＤの記録再生膜１０２が保護層と共にスパッタリング法により形成されている。
このようにして作成された本発明の光磁気ディスクは、螺旋状に形成された記録トラック１０３、１０４等を有し、さらに各記録トラック１０３、１０４等は放射線状に（光磁気ディスクの半径方向に整列して）設けられたプリピット領域１０６により、それぞれ１２８０個のセグメント１０５に分割されている。
各セグメントのプリピット領域１０６は、それぞれ光磁気ディスクの半径方向に整列している。従って、光磁気ディスクの中心を原点とする角座標で表した場合に、記録トラックが位置する原点からの距離にかかわらず、プリピット領域は光磁気ディスク上に３６０度／１２８０個＝０．２８１２５度毎に設けられている。
１個のセグメント１０５は１個のプリピット領域１０６と１個のデータ記録領域である溝部１１１とを有する。
本発明の光磁気ディスクはプリピット領域１０６にトラッキング用のウォブルピット１０８、１０９を有し、隣接する記録トラックの間でウォブルピット１０８又は１０９のどちらかを共用している。
このような構成に基づいて、トラッキング極性の異なった（ウォブルピット１０８及び１０９が記録トラックの延長線の左及び右に位置するものと、反対に右及び左に位置するものとがある。）第１の記録トラック１０３と第２の記録トラック１０４とが１周ごとに交互に形成される。
データ記録領域（溝部１１１）には、符号化データが連続して記録される。
データ記録領域の前後には、プリライト部１１６及びポストライト部１１７が設けられている。プリライト部１１６及びポストライト部１１７は、正しい再生信号が得られることは保証されていないが、プリライト部１１６にはデータ記録領域の先頭の１ビットと同じ値のデータが記録され、又ポストライト部１１７にはデータ記録領域の最後の１ビットと同じ値のデータが記録される。なお後述するように実施例においては、データ記録領域の先頭及びプリライト部１１６には所定の１ビットのデータが記録される。
後述するように実施例においては、ＥＣＣブロックを（１−７）符号化方式により符号化し且つＮＲＺＩ変換する。このようにして生成されたランレングスが２Ｔ〜８Ｔ（Ｔは１ビット分のチャンネルビットの時間長）である符号化データを記録する。しかし、先頭の１ビット及び最後の１ビットについては、ランレングスが１Ｔ（同一の値が連続しない。）になる場合がある。ランレングスが１Ｔの再生信号は、ランレングスが２Ｔ〜８Ｔである通常の再生信号に比べて基本周波数が高く、再生が困難になる恐れがある。
プリライト部１１６又はポストライト部１１７に上記のデータを記録することにより、先頭の１ビット及び最後の１ビットのそれぞれのランレングスが実質的に２Ｔ以上になり、先頭の１ビット及び最後の１ビットを確実に正しく再生することが出来る。
図１（ｃ）は、セグメント１０５に記録されたデータのアナログ再生信号１１８の波形を模式的に示す。
図に示すように、プリピット領域１０６からデータ記録領域１１１に光ピックアップが移動した直後のアナログ再生信号は１１９に示すスキュー（低周波のエンベロープ歪み）を有する。それ故に、アナログ再生信号を一定のレベル１２０を閾値として２値化しても、スキュー部分１１９で正しく２値化出来ない。
また、図２に模式的に示すように、実施例１の光磁気ディスクは半径方向の距離に応じて複数のデータゾーン２０１に分割されている。
同一のデータゾーンにおいては各セグメントに一定量のデータが記録されており、外周に近いデータゾーン程、各セグメントに多くの量のデータが記録されている。従って、例えば一定の記録データレートでの記録再生モードにおいては、同一のデータゾーンにおいては一定の角速度で光磁気ディスクが回転し、異なるデータゾーンにおいては、外周に近いデータゾーン程、遅い角速度で光磁気ディスクが回転する。
＜光ディスクの記録装置の説明（図３）＞
図３は、実施例１の光ディスクの記録装置の構成を示す。
図において１００は光磁気ディスク、３０１は磁気ヘッド、３０２は光ピックアップである。磁気ヘッド３０１と光ピックアップ３０２とは、光磁気ディスク１００を挟んで向かい合ったまま、光磁気ディスク１００上を移動する。
本実施例の光磁気ディスク１００は、光パルス磁界変調によりデータを記録し再生する。記録時には磁気ヘッド３０１により磁界を発生させた状態で光ピックアップ３０２からレーザ光を記録膜に照射することにより、光磁気ディスクにデータを記録する。再生時にはレーザ光を記録膜に照射し、記録時の磁界の方向に従って偏光した反射光を検出することにより、光磁気ディスクに記録された信号を再生する。
光ディスクの記録装置（光ディスク装置の記録部）は、磁気ヘッド３０１、光ピックアップ３０２、ＥＣＣエンコーダ３０８（ＥＣＣはＥｒｒｏｒ　Ｃｏｒｒｅｃｔｉｎｇ　Ｃｏｄｅ（誤り訂正符号）の意味）、ＲＡＭ３０７、符号化部３０６、データ追加部３０５、磁気ヘッド駆動部３０４、レーザ駆動部３０３、書き込み／読み出し制御部３０９、　及び同期クロック生成部３１０を含む。
同期クロック生成部３１０は、光磁気ディスク１００に形成されたクロックピット１１５から記録時の基準となる同期クロックを生成する。
同期クロック生成部３１０は、データ追加部３０５、書き込み／読み出し制御部３０９、符号化部３０６、ＥＣＣエンコーダ及びＲＡＭ３０７等に同期クロックを送付する。
書き込み／読み出し制御部３０９は、同期クロックを入力し、ＥＣＣエンコーダ３０８、ＲＡＭ３０７、符号化部３０６、データ追加部３０５、及びレーザ駆動部３０３の動作を制御する。
入力データ（記録データ）がＥＣＣエンコーダ３０８に入力される。
ＥＣＣエンコーダ３０８は、入力データをＲＡＭ３０７に格納した後、エラー訂正のための冗長データが付加され且つデータがインターリーブされたＥＣＣブロックを生成する。
ＥＣＣブロックは１回のＥＣＣエンコードにより生成される３８３３６Ｂのデータの集合であり（３２ｋＢのデータ及び冗長データを含む。）、ＥＣＣブロックは最小の書き込み／読み出し単位である。
又、ＥＣＣブロック毎に（１−７）符号化器及びＮＲＺＩ変換器がリセットされ、ＥＣＣブロックの先頭から新たに（１−７）符号化及びＮＲＺＩ変換が開始される。
又、新たなＥＣＣブロックは、（１−７）符号化及びＮＲＺＩ変換をされた後、記録媒体の新たなセグメントの先頭から（前置データ等を除く。）記録される。
ＥＣＣエンコーダ３０８は、生成されたＥＣＣブロックをほぼデータブロックごとに分割して出力する。
１個のデータブロックは、符号化部３０６により符号化データに変換され、データ追加部により必要なデータを追加され、１個のデータ記録領域に記録される。
符号化部３０６は、（１−７）符号化器３１２とＮＲＺＩ変換器３１１とを含む。
（１−７）符号化器３１２は、ＥＣＣエンコーダ３０８が出力したＥＣＣブロックを入力し、同期クロック生成器３１０により生成された符号化クロックに同期してＥＣＣブロックを（１−７）符号化方式で符号化し（変換によりＥＣＣブロックのランレングスを制限する。即ち連続する０の数が１個から７個の範囲に制限する。）、符号化データを出力する。
表１に示すように（１−７）符号化方式により符号化された符号化データは元のデータの１．５倍のデータ量になる故、１個のＥＣＣブロックの符号化データは約５８ｋＢのサイズ（チャンネルビット数）を有する。
書き込み／読み出し制御部３０９は、符号化クロックを順次カウントし、データブロックの最後のビットを判別する。
書き込み／読み出し制御部３０９がデータブロックの最後のビットを判別すると、当該最後のビットを出力した後（１−７）符号化器３１２は動作を停止し、次のデータブロックの送出開始タイミングが来ると再び動作を開始する。
後述するように、符号化部３０６は１個のＥＣＣブロックのデータの符号化をする前に初期値（前置のデータ）をセットされ、当該初期値から符号化を開始する。
符号化部３０６は、符号化した先頭のデータブロック（１個のＥＣＣブロックの先頭部分）を出力する前に、３ビットの前置の符号化データ４０７（初期値の符号化データ）を出力する。３ビットの前置の符号化データ４０７の値を表３の入力データ２「前置の入力データの符号化データ」の欄に表示する（１個のＥＣＣブロックのデータの先頭の２ビットの値に応じて００１又は０１０となる。）。
３ビットの前置の符号化データを生成し記録媒体に記録することは、１個のＥＣＣブロックの符号化データの最初の３ビットを正しく復号化すること（直前の符号化データの最後の２ビットを使用する。実施例１においては０１又は１０である。）を目的とする。
同様に、符号化部３０６は１個のＥＣＣブロックの最後のデータの後に２ｐ個（ｐは正整数）の後置のデータ（実施例においては連続する０のデータである。）を追加して入力し、最後のデータブロック（ＥＣＣブロックの最後の部分）を符号化した後、更に後置のデータを符号化し、後置の符号化データ４０８を出力する。
ＥＣＣエンコーダ３０８は、後置のデータをＲＡＭ３０７に格納しておき、最後のデータブロックの出力後、これに続けて後置のデータを出力する。
（１−７）符号化器３１２が出力する符号化データはＮＲＺＩ変換器３１１に伝送される。
ＮＲＺＩ変換器３１１は、１個のＥＣＣブロックの追加されたデータブロックを入力する前にリセットされて、出力データ０を出力する。
ＮＲＺＩ変換器３１１は、（１−７）符号化器３１２が出力する符号化データを入力し、ＮＲＺＩ変換された符号化データを出力する。
ＮＲＺＩ変換は、次のビットが１になるときだけ（０→１又は１→１）信号のレベルを反転させる符号化方式である。
本実施例の（１−７）符号化方式により符号化された符号化データは１が連続することがなく、ＮＲＺＩ変換器の動作はデータの立ち上がりエッジで（０→１）出力が反転する。
即ち、ＮＲＺＩ変換器３１１は、初期値０からスタートし、入力データが０から１に変化する度に１から０に、もしくは０から１に反転する。
図５は、ＮＲＺＩ変換器３１１の動作を示すタイミングチャートである。
ＮＲＺＩ変換器３１１の入力データの数値を図５（ａ）に示し、波形を図５（ｂ）に示す。図５（ａ）及び（ｂ）に示す入力データに応じて、ＮＲＺＩ変換器３１１は、図５（ｃ）に示す出力データを出力する。
ＮＲＺＩ変換された符号化データは、元の符号化データと比べてビットレート及び情報量は変わらないが（ＮＲＺＩ変換された符号化データは、情報がレベルの変化点に存在する。）、基本の周波数が低くなる。データの基本の周波数が低くなる故、記録媒体に高い記録密度でデータを記録することが出来る。
データ追加部３０５は、ＮＲＺＩ変換器３１１（符号化部３０６）が出力する前置の符号化データ４０７と、符号化データのデータブロックと、後置の符号化データ４０８とを入力し、前置の符号化データ４０７及び各データブロックの前に後述する一定のデータ４０６（全部で５ビットのデータ）及び前のデータブロックの最後の１ビットの符号化データと同じ値のデータ４０５（全部で４ビットのデータであって、その符号を４０９とする。）をそれぞれ追加し、追加されたデータブロックを出力する。
同様に、各データブロックの最後の符号化データの後に、当該最後の１ビットの符号化データと同じ値のデータ４０５（全部で４ビットのデータであって、その符号を４０９とする。）を追加し、出力する。
データ追加部３０５は、例えば１個のＤフリップフロップで構成される。ＥＣＣブロックの符号化データの出力を開始する前に、当該Ｄフリップフロップはリセットされ０を出力する。
データ追加部３０５は、前置の符号化データ４０７をロードして出力する前に、０（一定のデータ４０６）を５クロック期間出力する。４クロック期間はプリライト部１１６に相当する。最後の１クロック期間に記録されるデータはデータ記録領域に記録される先頭の有効なデータである。
又、各データブロックの符号化データ又は後置の符号化データ４０８をロードして出力した後、各データブロック又は後置の符号化データ４０８の最後の１ビットの符号化データと同じ値のデータ４０５を保持する。そして、各データブロックの最後の符号化データに続いて当該データ４０５を４クロック期間出力する（４クロック期間はポストライト部１１７に相当する。この４ビットは符号４０８に含めて表示する。）。
光ピックアップがプリピット領域上を通過する期間、データ追加部３０５は当該データ４０５を保持する（後置の符号化データ４０８を出力した後を除く。）。
次のデータブロックをロードして出力する前に当該データ４０５を更に５クロック期間出力する。４クロック期間はプリライト部１１６に相当する。最後の１クロック期間に記録されるデータはデータ記録領域に記録される先頭の有効なデータである。
データ追加部３０５の上記の機能は、クロックを制御することにより容易に実行出来る。
他の実施例では、データ追加部３０５はＮＲＺＩ変換器３１１と一体化されている。
磁気ヘッド駆動部３０４は、データ追加部３０５から追加されたデータブロックを受け取り、当該追加されたデータブロックの各符号化データに応じた電流を磁気ヘッド３０１に流す。磁気ヘッド３０１は当該電流に応じた磁界を発生させる。
又、磁気ヘッド駆動部３０４が磁気ヘッド３０１に電流を流すとき、書き込み／読み出し制御部３０９はレーザ駆動部３０３に各符号化データ（チャンネルビット）のビット間隔と同じ周期（一定周期）のパルスを伝送する。レーザ駆動部３０３は前記一定周期のレーザ光を出力し、当該レーザ光は光ピックアップ３０２を通じて光磁気ディスクの記録膜を加熱する。これにより、記録膜に符号化データ（チャンネルビット）が記録される。
このようにして、当該追加されたデータを含むデータブロックは光磁気ディスク１００の各セグメントのデータ記録領域に記録される。
実施例１の光磁気ディスクにおいては、各データ記録領域に記録できるチャンネルビット数は各データゾーンによって異なり、外周に近いデータゾーン程その記録容量は大きくなる。
最内周のデータゾーンの１個のセグメントには４６８ビット、最外周のデータゾーンの１個のセグメントには９８６ビットのデータを記録出来る（（１−７）符号化方式により符号化する前のデータの数で表示している。）。
１個のＥＣＣブロックのチャンネルビット数をＱバイト、各セグメントのデータ記録領域に記録できるチャンネルビット数をＮビットとすると、１個のＥＣＣブロックは概算でＴＲＵＮＣ（８・Ｑ／Ｎ）＋１で算出されるセグメント数に分割して記録することが出来る（ＴＲＵＮＣは、（）内の計算値の小数点以下を切り捨てた値を出力する関数である。）。
概算で最内周のデータゾーンにおいてはＴＲＵＮＣ（８ビット×（３２ｋＢ＋５０８８＋４８０）／４６８）＋１＝６５６より１個のＥＣＣブロックは６５６セグメントに記録される。最外周のデータゾーンにおいてはＴＲＵＮＣ（８ビット×（３２ｋＢ＋５０８８＋４８０）／９８６）＋１＝３１２より１個のＥＣＣブロックは３１２セグメントに記録される（５０８８バイト及び４８０バイトはＥＣＣブロックの冗長データ）。
＜書き込み／読み出し制御部の説明（図４）＞
図４は、ＥＣＣエンコーダ３０８がＲＡＭ３０７に書き込んだＥＣＣブロックを読み出し、符号化部３０６が当該ＥＣＣブロックを符号化し、データ追加部３０５がデータブロックに所定のデータを追加する方法を示す。
ＥＣＣエンコーダ３０８により、１個のＥＣＣブロック及び２ｐビット（ｐは正整数）の後置のデータ（００の繰り返しデータである。（１−７）符号化器３１２により符号化されて３ビットの後置の符号化データ４０８（００１の繰り返しデータである。）になる。）がＲＡＭ３０７に書き込まれる。
ＥＣＣエンコーダ３０８は、１個のＥＣＣブロック４０１の中の先頭のセグメントに記録するデータのデータブロック（符号化して１番目のデータブロック４０２になる。）を、ＲＡＭ３０７から読み出す。
（１−７）符号化器３１２は、後述するようにＥＣＣブロックの符号化を開始する前に初期値を設定される。
（１−７）符号化器３１２は、初期値を符号化して３ビットの前置の符号化データ４０７を生成し出力すると共に、入力する１番目のデータブロックを入力し、当該１番目のデータブロックを符号化して符号化データからなる１番目のデータブロック４０２を生成し出力する。
データ追加部３０５は、３ビットの前置の符号化データ４０７と１番目のデータブロック４０２とを入力し、これらの符号化データの先頭に５ビットの一定のデータ４０６（２ビット以上であれば良い。実施例１においては全て０である。）を追加し、データブロック４０２の最後の１ビットのデータ４０５と同じ値の４ビットのデータ４０９をデータブロック４０２の後に追加して、追加されたデータを含む１番目のデータブロックを出力する。
５ビットの一定のデータ４０６の中の先頭の４ビットはプリライト部１１６に記録される。５ビットの一定のデータ４０６の中の最後の１ビット、３ビットの前置の符号化データ４０７及び１番目のデータブロック４０２からなる追加された１番目のデータブロックは、１番目のセグメント１１１のデータ記録領域に記録される。
プリライト部１１６に記録されるこれらの４ビットは有効な符号化データではないが、１ビットの一定のデータ４０６のランレングスが１Ｔになることを防止し、２Ｔ以上のランレングスを確保する役割を果たす。
又、データ追加部３０５は、１番目のデータブロック４０２の最後の符号化データ４０５の値を記憶している。
データ追加部３０５は、追加された１番目のデータブロックを出力し終わった後も（最後の符号化データ４０５を含む。）、１番目のデータブロック４０２の最後の符号化データ４０５を更に４ビットの期間出力し続ける（４０９。１ビット以上であれば良い。）。４ビットのデータ４０９はポストライト部１１７に記録される。
ポストライト部１１７に記録されるこれらの４ビットのデータ４０９は有効な符号化データではないが、１番目のデータブロック４０２の最後の符号化データ４０５のランレングスが１Ｔになることを防止し、２Ｔ以上のランレングスを確保する役割を果たす。
実施例１においては、下記の式が成立する。
１チャンネルビット（一定のデータ４０６）＋３チャンネルビット（前置の符号化データ４０７）＋１番目のデータブロック４０２のチャンネルビット数＝１個のセグメント内データ領域のチャンネルビット数
記録開始後レーザ光の出力が安定するまでに一定の時間を要する光ディスク装置においては、データ追加部３０５は、３ビットの前置の符号化データ４０７の前に一定のデータ長を有するヘッダ部（例えば３２ビットの値０のデータ列）及び一定のデータ長のＳｙｎｃ部（同期部）を出力する。これらのデータは１番目のセグメント１１１に記録される。
ヘッダ部のデータ長は、記録開始後レーザ光の出力が安定するまでの時間よりもヘッダ部の記録時間が長くなるように決める。これにより、ヘッダ部の後に続くデータの再生信号の信頼性を確保することが出来る。
Ｓｙｎｃ部は、ヘッダ部以降のデータ列のバイト同期を行うための既知の信号である。例えば８ビットデータ１１１１００００である。
次に、ＥＣＣエンコーダ３０８は、１個のＥＣＣブロック４０１の中の２番目のセグメントに記録するデータのデータブロック（符号化して２番目のデータブロック４０３になる。）をＲＡＭ３０７から読み出す。
（１−７）符号化器３１２が、２番目のセグメントに記録するデータのデータブロックを符号化して２番目のデータブロック４０３（符号化データからなる。）を生成し出力する。（１−７）符号化器３１２が、２番目のデータブロックの先頭のデータを（１−７）符号化する時は、後続する２ビットのデータと、１番目のデータブロックの最後の１ビットのデータとを用いる。他の後続するデータブロックにおいても、そのデータブロックの先頭のデータを（１−７）符号化する時は、後続する２ビットのデータと、直前のデータブロックの最後の１ビットのデータとを用いる。従って、実質的にストリーム（実施例においてはＥＣＣブロック）全体をまとめて（途切れることなく）（１−７）符号化し、それを分割したデータブロックを複数のセグメントに記録している。
データ追加部３０５は、２番目のデータブロック４０３を入力し、１番目のデータブロック４０２の最後の符号化データ４０５と同じ値の５ビットのデータ（２ビット以上であれば良い。）を２番目のデータブロック４０３の先頭に追加し、データブロック４０３の最後の１ビットのデータ４０５と同じ値の４ビットのデータ４０９をデータブロック４０３の後に追加して、２番目の追加されたデータを含むデータブロックを生成する。
上述のように、データ追加部３０５は、１番目のデータブロック４０２の最後の符号化データ４０５を記憶している。
１番目のデータブロック４０２の最後の符号化データ４０５と同じ値の５ビットのデータの中の先頭の４ビットはプリライト部１１６に記録される。１番目のデータブロック４０２の最後の符号化データ４０５と同じ値の５ビットのデータの中の最後の１ビット、及び２番目のデータブロック４０３からなる追加されたデータを含む２番目のデータブロックは、２番目のセグメント１１１のデータ記録領域に記録される。
プリライト部１１６に記録されるこれらの４ビットは有効な符号化データではないが、先頭に追加された１番目のデータブロック４０２の最後の符号化データ４０５と同じ値の１ビットのデータのランレングスが１Ｔになることを防止し、２Ｔ以上のランレングスを確保する役割を果たす。
又、データ追加部３０５は、２番目のデータブロック４０３の最後の符号化データ４０５の値を記憶している。
データ追加部３０５は、追加された２番目のデータブロック４０３（最後の符号化データ４０５を含む。）を出力し終わった後も、２番目のデータブロック４０３の最後の符号化データ４０５を更に４ビットの期間出力し続ける（４０９。１ビット以上であれば良い。）。４ビットのデータ４０９はポストライト部１１７に記録される。
ポストライト部１１７に記録されるこれらの４ビットのデータ４０９は有効な符号化データではないが、２番目のデータブロック４０３の最後の符号化データ４０５のランレングスが１Ｔになることを防止し、２Ｔ以上のランレングスを確保する役割を果たす。
実施例１においては、下記の式が成立する。
１チャンネルビット（符号化データ４０５）＋２番目のデータブロック４０３のチャンネルビット数＝１個のセグメント内データ領域のチャンネルビット数
次に、ＥＣＣエンコーダ３０８は、１個のＥＣＣブロック４０１の中の　３番目のセグメントに記録するデータブロック（符号化して３番目のデータブロック４０３になる。）をＲＡＭ３０７から読み出す。
（１−７）符号化器３１２が、３番目のセグメントに記録するデータブロックを符号化して３番目のデータブロック４０３（符号化データからなる。）を生成し出力する。前述のように、（１−７）符号化器３１２が、３番目のデータブロックの先頭のデータを（１−７）符号化する時は、後続する２ビットのデータと、２番目のデータブロックの最後の１ビットのデータとを用いる。
データ追加部３０５は、３番目のデータブロック４０３を入力し、２番目のデータブロック４０３の最後の符号化データ４０５と同じ値の５ビットのデータ（２ビット以上であれば良い。）を３番目のデータブロック４０３の先頭に追加し、３番目のデータブロック４０３の最後の１ビットのデータ４０５と同じ値の４ビットのデータ４０９をそのデータブロック４０３の後に追加して、３番目の追加されたデータブロックを生成する。
上述のように、データ追加部３０５は、２番目のデータブロック４０３の最後の符号化データ４０５を記憶している。
２番目のデータブロック４０３の最後の符号化データ４０５と同じ値の５ビットのデータの中の先頭の４ビットはプリライト部１１６に記録される。２番目のデータブロック４０３の最後の符号化データ４０５と同じ値の５ビットのデータの中の最後の１ビット、及び３番目のデータブロック４０３からなる追加されたデータを含む３番目のデータブロックは、３番目のセグメント１１１のデータ記録領域に記録される。
プリライト部１１６に記録されるこれらの４ビットは有効な符号化データではないが、先頭に追加された２番目のデータブロック４０３の最後の符号化データ４０５と同じ値の１ビットのデータのランレングスが１Ｔになることを防止し、２Ｔ以上のランレングスを確保する役割を果たす。
又、データ追加部３０５は、３番目のデータブロック４０３の最後の符号化データ４０５の値を記憶している。
データ追加部３０５は、追加された３番目のデータブロック４０３（最後の符号化データ４０５を含む。）を出力し終わった後も、３番目のデータブロック４０３の最後の符号化データ４０５を更に４ビットの期間出力し続ける（４０９。１ビット以上であれば良い。）。４ビットのデータ４０９はポストライト部１１７に記録される。
ポストライト部１１７に記録されるこれらの４ビットは有効な符号化データではないが、３番目のデータブロック４０３の最後の符号化データ４０５のランレングスが１Ｔになることを防止し、２Ｔ以上のランレングスを確保する役割を果たす。
実施例１においては、下記の式が成立する。
１ビット（符号化データ４０５）＋３番目のデータブロック４０３のチャンネルビット数＝１個のセグメント内データ領域のチャンネルビット数
以下、これを繰り返す。
（１−７）符号化方式は２ビットのデータを入力し３ビットの符号化データ（チャンネルビットの数）を出力する故、好ましくは各データブロック（４０２等）は、（１−７）符号化方式による符号化前のデータ量に換算して２の整数倍のデータを含む。これにより、符号化部３０６のクロック信号の制御回路等を簡素化することが出来る。
実施例１においては、例えば最内周のデータゾーンにデータを記録する場合にはデータブロックの容量は４６８ビットであり、最外周のデータゾーンにデータを記録する場合にはデータブロックの容量は９８６ビットであり、いずれも２の整数倍である（データブロックの容量はランレングスリミット符号化方式による符号化前の実効的なデータサイズで表している。）。
各セグメントのデータ記録領域の容量は８ビットの整数倍（符号化前の実効的なデータサイズで表す。）である必要はなく、２ビットの整数倍の任意の長さに選定すれば無駄のない記録をすることが出来る。
１個のＥＣＣブロック４０１の最後のデータを最後のセグメントに記録する方法を説明する。
最終のセグメントにおいては通常、余り領域を有する。この余り領域には一定のデータ（予め決められたデータ）４０８が記録される。
従って、最終セグメントにおける最終データは次の余り領域の既知データを利用して（１−７）符号化方式の符号化、復号化を確定することができる。
次に、ＥＣＣエンコーダ３０８は、１個のＥＣＣブロック４０１の中の最後のセグメントに記録するデータブロック（符号化して最後のデータブロック４０４になる。）及び一定のデータ（実施例においては、００の繰り返し（偶数個の０）である。符号化して一定の符号化データ４０８になる。）をＲＡＭ３０７から読み出す。
（１−７）符号化器３１２が、最後のセグメントに記録するデータブロックを符号化して符号化データからなる最後のデータブロック４０４を生成し、一定のデータ（００の繰り返し）を符号化して一定の符号化データ４０８（００１の繰り返し）を生成し、これらのデータを出力する。
データ追加部３０５は、最後のデータブロック４０４及び一定の符号化データ４０８を入力し、最後から２番目のデータブロック４０３の最後の符号化データ４０５と同じ値の５ビットのデータ（２ビット以上であれば良い。）を、最後のデータブロック４０４の先頭に追加し、最後の追加されたデータを含むデータブロックを生成する。
上述のように、データ追加部３０５は、最後から２番目のデータブロック４０３の最後の符号化データ４０５を記憶している。
最後から２番目のデータブロック４０３の最後の符号化データ４０５と同じ値の５ビットのデータの中の先頭の４ビットは最後のセグメント１１１のプリライト部１１６に記録される。最後から２番目のデータブロック４０３の最後の符号化データ４０５と同じ値の５ビットのデータの中の最後の１ビット、最後のデータブロック４０４、及び一定の符号化データ４０８からなる追加されたデータを含む最後のデータブロックは、最後のセグメント１１１のデータ記録領域に記録される。
プリライト部１１６に記録されるこれらの４ビットは有効な符号化データではないが、先頭に追加された最後から２番目のデータブロック４０３の最後の符号化データ４０５と同じ値の１ビットのデータのランレングスが１Ｔになることを防止し、２Ｔ以上のランレングスを確保する役割を果たす。
一定の符号化データ４０８は最後のデータ記録領域１１１の記録容量を満たすようなチャンネルビット数を有するように決められる。好ましくは、最後のデータ記録領域１１１を超えて、ポストライト部１１７に４ビット程度が記録される。
ポストライト部１１７に記録されるこれらの４ビットは有効な符号化データではないが、３番目のデータブロック４０３の最後の符号化データ４０５のランレングスが１Ｔになることを防止し、２Ｔ以上のランレングスを確保する役割を果たす。
実施例１においては、一定のデータ４０８は、３ビットの値００１を繰り返したデータ（例えば００１００１・・・）である。３ビットの値００１は、符号化の対象であるデータと当該符号化の対象であるデータの次のデータとの値が全て００である場合の符号化データである（表１参照）。
一定のデータ４０８のチャンネルビット数は、下記の式で求められる。
（一定のデータ４０８のチャンネルビット数）＝（１個のセグメント内データ領域のチャンネルビット数）−（最後のデータブロック４０４のチャンネルビット数）−１ビット＋４ビット
上式の「−１ビット」の項は先頭に追加される最後の１ビットの符号化データ４０５を示す。
「＋４ビット」の項は、ポストライト部１１７に記録される４ビットのデータを意味する。
実施例１の光磁気ディスクは複数のデータゾーンを有し、異なるデータゾーンにおいては、１個のセグメントは異なるデータ数のデータを記録する故、一定のデータ４０８のデータ数はゾーン毎に異なる。
一定のデータ４０８のデータ数は、少なくとも２ビット以上とし、もし上式により求められた一定のデータ４０８のデータ数が０個又は１個の場合は、当該１個のＥＣＣブロックに更に１セグメントを追加する。追加された１セグメントの先頭には、その前のセグメントの最後の１ビットの符号化データ４０５を記録し、その後に一定のデータ４０８（前のセグメントに記録した一定のデータ４０８の続き）を書き込む。
記録装置は、上記の様に１個のＥＣＣブロック４０１を符号化して各セグメントに記録する複数のデータブロックに分割し、各データブロックの先頭に１ビット（有効データの数）のデータを追加し、光ピックアップ３０２がデータ記録領域上を通過する時に当該１ビットのデータとデータブロックとを記録媒体に記録する。
実施例においては、記録媒体のデータ記録領域の先頭に、直前のデータ記録領域のデータブロックの最後の符号化データと同じ値のデータ（所定のデータ）が記録された。これに代えて、各データ記録領域の先頭に、１ビット以上の任意のデータ（所定のデータ）を記録しても良い。例えば、プリライト領域若しくはポストライト領域に追加する任意のデータと同一のデータ、又は１若しくは０の一定のデータ等を各データ記録領域の先頭に記録することも出来る。
＜（１−７）符号化器の構成の説明（図６）＞
図６は、（１−７）符号化器３１２の構成を示す。
Ｄフリップフロップ（Ｄ−ＦＦ）６０１、６０２、６０３、６０４は４段のシリアル入力パラレル出力型シフトレジスタであり、Ｄフリップフロップ６０１のＤ入力端子に入力した符号化器３１２の入力データをシフトし、それぞれパラレルに出力する。
（１−７）符号化変換器６０５は、Ｄフリップフロップ６０３、６０４の各出力信号（符号化の対象である２ビットデータ）、Ｄフリップフロップ６０１、６０２の各出力信号（次に符号化の対象となる２ビットデータ）及びＤフリップフロップ６０９の出力信号（直前に符号化した符号化データの最後の１ビット）を入力し、表１に示した変換則に従って３ビットの符号化データを出力する。
（１−７）符号化変換器６０５の構成は任意である。
例えば、（１−７）復号化変換器６０５は、ゲート回路構成により入力信号に基づいて出力信号を生成する。他の実施例においては、（１−７）符号化変換器６０５はＲＯＭで構成されており、入力信号を当該ＲＯＭの読み出しアドレス端子に入力し、当該アドレス端子への入力信号で指定されるアドレスのＲＯＭから出力信号を読み出す。
Ｄフリップフロップ６０６、６０７、６０８、６０９は４段のパラレル入力シリアル出力型シフトレジスタであり、Ｄフリップフロップ６０６、６０７、６０８のＤ入力端子に入力した符号化データ（（１−７）符号化変換器６０５の出力信号）をシフトして、Ｄフリップフロップ６０８、６０９の各出力端子から出力する。
Ｄフリップフロップ６０８の出力信号（符号化データ）は、（１−７）符号化器３１２の出力信号である。
Ｄフリップフロップ６０９の出力信号（符号化データ）は（１−７）符号化変換器６０５に入力される。
＜（１−７）符号化器の動作の説明（図７）＞
図７は、（１−７）符号化器３１２の動作のフローチャートを示す。
最初に、Ｄフリップフロップ６０１、６０２、６０３、６０４に２個のクロック信号を入力し、Ｄフリップフロップ６０１、６０２にあった信号をＤフリップフロップ６０３、６０４に転送し、Ｄフリップフロップ６０１、６０２に新たな２ビットの入力データをロードする（ステップ７０１）。
次に、（１−７）符号化変換器６０５は、Ｄフリップフロップ６０１、６０２、６０３、６０４、６０９の出力信号を入力し、表１に示した変換則に従って３ビットの符号化データを生成し、出力する（ステップ７０２）。この符号化データは、Ｄフリップフロップ６０３、６０４にロードされているデータの符号化データである。
次に、ステップ７０３において、Ｄフリップフロップ６０６、６０７、６０８、６０９は（１−７）符号化変換器６０５の出力信号をロードし、３個のクロック信号を入力して当該ロードしたデータをシフトする。Ｄフリップフロップ６０６、６０７、６０８にあった３個の符号化データがシリアル出力される。Ｄフリップフロップ６０６にあった符号化データの最後の１ビットが、Ｄフリップフロップ６０９に転送される。
以上のステップ７０１〜７０３を繰り返す。
各セグメントに記録するデータブロックの最後の２ビットのデータを符号化する時は、当該最後の２ビットのデータをＤフリップフロップ６０３、６０４にロードし、直前に符号化した符号化データの最後の１ビットをＤフリップフロップ６０９にロードし、及び次のセグメントの先頭の２ビットのデータをＤフリップフロップ６０１、６０２にロードして符号化する。即ち、２個の隣接するセグメントのデータブロックのデータを使用して（１−７）符号化方式により符号化が行われる。
データブロックの最後の１ビットが出力されると、（１−７）符号化器３１２は動作を停止する。
光ピックアップが次のセグメントに移動して、次のセグメントに記録する符号化データを生成するタイミングになると、（１−７）符号化器３１２は再び動作を開始する。
各セグメントに記録するデータブロックの先頭の２ビットのデータを符号化する時は、前のセグメントの最後の符号化を完了した状態から動作を再開すれば良い。Ｄフリップフロップ６０１、６０２にロードされていた当該先頭の２ビットのデータをＤフリップフロップ６０３、６０４に転送し、これに続く２ビットのデータをＤフリップフロップ６０１、６０２にロードし、直前のセグメントに記録したデータブロックの最後の符号化データの最後の１ビットをＤフリップフロップ６０９にロードして符号化する。
上記の様に、各セグメントに記録するデータブロックの最後の２ビットのデータと次のセグメントに記録するデータブロックの先頭の２ビットのデータの符号化処理は、クロック信号を制御することにより容易に実行できる。
ＥＣＣブロック信号のデータの先頭のデータの符号化について、表３を参照して説明する。
（１−７）符号化方式等のランレングスリミット符号化方式においては、符号化の対象であるデータだけでは符号化データを一義的に定めることが出来ない。（１−７）符号化方式においては、符号化の対象であるデータと、その前の符号化データと、次に符号化の対象となるデータとによって、符号化データが定まる。
同様に、（１−７）符号化方式においては、復号化の対象である符号化データと、その前後の符号化データとを使用して、符号化データを正しく復号化することが出来る。
実施例１においては前置の３ビットの符号化データを生成し記録することにより、１個のＥＣＣブロックのデータの先頭のデータを正しく符号化し、復号化することが出来る。
表３に、１個のＥＣＣブロックのデータの先頭のデータを符号化する様子を示す。表３は、表１に従って特定のデータを符号化した様子を示す。
【表３】
2002029811.tif 000005
１個のＥＣＣブロックのデータの先頭のデータの前にはデータがないので、前置のデータを追加して符号化を開始する。
具体的には、１個のＥＣＣブロックのデータの符号化を開始する前に、Ｄフリップフロップ６０１〜６０４、６０９を初期設定する。
実施例１においては、２ビットのデータ００が無限に連続するデータを符号化すると３ビットのデータ００１が無限に連続する符号化データが生成されることを考慮して、Ｄフリップフロップ６０１〜６０４には０を初期設定し、Ｄフリップフロップ６０９には１（符号化データ００１の最後の１ビットに相当する。）を初期設定する。
ステップ７０１〜７０３を実行して１回目の符号化データを生成する。Ｄフリップフロップ６０３、６０４にロードされているデータ００（表３の入力データ１「前置の前の入力データ」の欄）の符号化データ（００１）が、Ｄフリップフロップ６０６〜６０８にロードされ、出力される（表３の出力データ１「前置の前の入力データの符号化データ」の欄）。しかし、当該符号化データ（全て００１）は使用されない。
ステップ７０１〜７０３を実行して２回目の符号化データを生成する。最初にＤフリップフロップ６０１、６０２にロードされたデータ００（表３の入力データ２「前置の入力データ」の欄）がＤフリップフロップ６０３、６０４に転送され、Ｄフリップフロップ６０１、６１２には１個のＥＣＣブロック信号のデータの先頭の２ビットのデータ（表３の入力データ３「符号化しようとする最初の入力データ」の欄）がロードされる。
Ｄフリップフロップ６０９には符号化データ（００１）の最後の１ビットがロードされる。
（１−７）符号化変換器６０５は、Ｄフリップフロップ６０１〜６０４及び６０９にロードされているデータを入力して（表３の入力データ２「前置の入力データ」の欄）符号化データを出力する。
符号化データは、Ｄフリップフロップ６０６〜６０８にロードされて出力される（表３の出力データ２「前置の入力データの符号化データ」の欄）。当該符号化データは前置のデータ４０７と言い、後続するデータ（１個のＥＣＣブロックのデータの先頭の２ビットのデータ）に応じて００１又は０１０になる。前置の符号化データ４０７は１個のＥＣＣブロックのデータの先頭の２ビットのデータを復号化するために必要である故に、記録媒体に記録される。
ステップ７０１〜７０３を実行して３回目の符号化データを生成する。前回にＤフリップフロップ６０１、６０２にロードされた１個ＥＣＣブロック号のデータの先頭の２ビットのデータ（表３の入力データ３「符号化しようとする最初の入力データ」の欄）がＤフリップフロップ６０３、６０４に転送され、Ｄフリップフロップ６０１、６０２には１個のＥＣＣブロックのデータの後続する２ビットのデータ（表３の入力データ４「後続する入力データ」の欄）がロードされる。
（１−７）符号化変換器６０５は、Ｄフリップフロップ６０１〜６０４及び６０９にロードされているデータを入力して（Ｄフリップフロップ６０９には、符号化データの最後の１ビットがロードされている。）、符号化データを出力する。
符号化データが、Ｄフリップフロップ６０６〜６０８にロードされ出力される（表３の出力データ３「先頭の入力データの符号化データ」の欄）。当該符号化データは記録媒体に記録される。以下、これを繰り返す。
表５は、表３の出力データである１個のＥＣＣブロックの符号化データの先頭の符号化データを復号化する様子を示す。表５については、（１−７）復号化器の説明の中で詳述する。
同様に、１個のＥＣＣブロックのデータの最後のデータには後続するデータがないので、一定のデータ（実施例１においては００）を後に追加して符号化を行う。
１個のＥＣＣブロックのデータの最後のデータの符号化の様子を表４に示す。表４は、表１に従って特定のデータを符号化した様子を示す。
具体的には、Ｄフリップフロップ６０１、６０２にロードされていた１個のＥＣＣブロックのデータの最後のデータ（表４の入力データ１「符号化しようとする最後の入力データ」の欄）がＤフリップフロップ６０３、６０４に転送される時、Ｄフリップフロップ６０１、６０２にはＲＡＭ３０７から読み出した後置のデータ００（表４の入力データ２「後置の入力データ１」の欄）をロードする。
【表４】
2002029811.tif 000006
最後のデータがＤフリップフロップ６０１、６０２にロードされ又はＤフリップフロップ６０３、６０４に転送されたことは、（１−７）符号化器３１２が内蔵するカウンタによって入力データの数（入力クロック数）、出力する符号化データの数又はデータ変換の実行回数等を計数して検出する。
Ｄフリップフロップ６０３、６０４にロードされている１個のＥＣＣブロックのデータの最後のデータの符号化データが、Ｄフリップフロップ６０６〜６０８にロードされ、出力される（表４の出力データ１「最後の入力データの符号化データ」の欄）。当該符号化データは記録媒体に記録される。
１個のＥＣＣブロックのデータの最後のデータを符号化した後、再度ステップ７０１〜７０３を実行して符号化データを生成する。前回にＤフリップフロップ６０１、６０２にロードされた２ビットの後置の入力データ００（表４の入力データ２「後置の入力データ１」の欄）がＤフリップフロップ６０３、６０４に転送され、Ｄフリップフロップ６０１、６０２には新たな２ビットの後置のデータ００（表４の入力データ３「後置の入力データ２」の欄）がロードされる。
Ｄフリップフロップ６０３、６０４にロードされている後置の入力データ１（００）の符号化データ（全て００１であることに注目すべきである。）が、Ｄフリップフロップ６０６〜６０８にロードされ、出力される（表４の出力データ２「後置の入力データ１の符号化データ」の欄）。これらのデータを後置の符号化データ４０８と言う。
次に、再度ステップ７０１〜７０３を実行して符号化データを生成する。前回にＤフリップフロップ６０１、６０２にロードされた２ビットの後置の入力データ００（表４の入力データ３「後置の入力データ２」の欄）がＤフリップフロップ６０３、６０４に転送され、Ｄフリップフロップ６０１、６０２には新たな２ビットの後置の入力データ００（表４には記載していない。）がロードされる。
Ｄフリップフロップ６０３、６０４にロードされている後置の入力データ２ビット（００）の符号化データ（全て００１である。）が、Ｄフリップフロップ６０６〜６０８にロードされ、出力される（表４の出力データ３「後置の入力データ２の符号化データ」の欄）。
以下、これを繰り返す。後置の符号化データ４０８は、これらのデータ（００１の繰り返し）の総称である。
実施例１においては、１個のＥＣＣブロックの最後のセグメントに、１個のＥＣＣブロックの符号化データを最後まで記録した後に、上述の後置の符号化データ４０８を少なくとも２ビット（００）記録する。１個のＥＣＣブロックの最後のセグメントのチャンネルビット数に余裕がある場合は後置の符号化データ（００１）を繰り返し記録する。
４ビット目以降のデータはダミーデータである。
もっとも、後置の符号化データ４０８は常に００１の繰り返しである故に、上記の３ビットの後置の符号化データ（００１）がなくても全ての符号化データを復号化可能である（実施例２参照）。
表６は、表４の符号化データを復号化する様子を示す。表６については、（１−７）復号化器の説明の中で詳述する。
＜光ディスク再生装置の説明（図８）＞
図８は、実施例１の光ディスクの再生装置の構成を示す。
図において８０１は再生アンプ、８０２は１０ビットＡ／Ｄコンバータ（アナログ／デジタル変換器）、８０３は（１−Ｄ）演算器、８０４はＲＡＭ、８０５はビタビデコーダ、８０６は（１−７）符号化方式の復号化器、８０７はＥＣＣデコーダである。
光ピックアップ３０２から集光されたレーザ光の反射光は、スプリッタ（図示していない。）により２個の偏向面の光成分に分離される。分離された２個の光成分は、２個の光検知器（図示していない。）により２個の電気信号に変換される。２個の電気信号は、減算器（図示していない。）に入力される。減算器は、２個の電気信号の差分である差分信号を出力する。
差分信号は、再生アンプ８０１で増幅された後、１０ビットＡ／Ｄコンバータ８０２に入力され、１０ビットのデジタル再生信号に変換される。Ａ／Ｄコンバータ８０２は、１クロック毎に入力信号をサンプルホールドしてデジタル化してデジタル再生信号を出力する。
１０ビットのデジタル再生信号（ＮＲＺＩ変換された１０ビットの符号化データ）は（１−Ｄ）演算器８０３に入力され、２個の連続する再生信号の差分信号（１０ビットのデジタル再生信号）に変換される。
前記２個の連続する再生信号の差分信号は、ビタビデコーダ８０５に入力され、最尤復号をされ、２値化され（１ビットの符号化データに変換される）、且つＮＲＺＩ方式により復号化される。
ビタビデコーダ８０５は、訂正された符号化データ（２値化データ）を出力し、（１−７）復号化器８０６に伝送する。
（１−７）復号化器８０６は、訂正された符号化データ（２値化データ）を入力して、（１−７）符号化方式により復号化する。
（１−７）符号化方式により復号化されたデータはＥＣＣデコーダ８０７に入力され、ＲＡＭ８０４に書き込まれる。その後、ＲＡＭ８０４に書き込まれたデータは、ＥＣＣデコーダ８０７によりデコードされ、エラー訂正される。デコードされたデータは、ＲＡＭ８０４から読み出される。復号化されたデータをＲＡＭ８０４に書き込むときに不要なデータ（後置のデータ等）を除去し、ＥＣＣデコードされたデータをＲＡＭ８０４から読み出すときに各データブロック（各セグメント毎のデータブロック）を接続して連続したストリームデータにする。
同期クロック生成部３１０は、再生アンプ８０１が出力した再生信号を入力し、再生用のクロックを生成する。
＜符号化データの復号化の説明（図１６）＞
図１６を用いて、符号化データの復号化方法を説明する。図１６（ａ）は、第１の記録トラック１０３及び第２の記録トラック１０４の一部を示す。再生アンプ８０１は、第１の記録トラック１０３等の各データ記録領域１１１から再生されたデータブロック（図１６（ｂ）に示す。）を出力する。ＥＣＣブロックの先頭のデータブロックは、一定のデータ４０６、前置の符号化データ４０７及び１番目のデータブロック４０２を有する。ＥＣＣブロック先頭から２番目〜最後から２番目のデータブロックは、直前のデータブロックの最後の符号化データと同一のデータ４０５（所定のデータ）及びデータブロック４０３をそれぞれ有する。ＥＣＣブロック最後のデータブロックは、直前のデータブロックの最後の符号化データと同一のデータ４０５（所定のデータ）、最後のデータブロック４０４及び後置の符号化データ４０８を有する。
（１−Ｄ）演算器８０３及びビタビデコーダ８０５は、再生アンプの出力信号（図１６（ｂ））を２値化する。（１−Ｄ）演算器の説明において詳述するように、各データブロックの最初の１ビット（所定のデータ４０５）は、スキュー歪みの影響を除去して正しく再生信号を２値化する上で重要な役割を果たすが、当該所定のデータ４０５自体は２値化されない。図１６（ｃ）に示すように、ビタビデコーダ８０５の出力信号（２値化データ）において、ＥＣＣブロックの先頭のデータブロックは前置の符号化データ４０７及び１番目のデータブロック４０２を有する。ＥＣＣブロックの先頭から２番目〜最後から２番目のデータブロックはデータブロック４０３をそれぞれ有する（所定のデータ４０５が除かれている。）。ＥＣＣブロック最後のデータブロックは最後のデータブロック４０４及び後置の符号化データ４０８を有する（所定のデータ４０５が除かれている。）。
（１−７）復号化器８０６は、ＥＣＣブロックの先頭から２番目〜最後のデータブロックの前に記録された所定のデータ（直前のデータブロックの最後の符号化データと同一のデータ４０５）を取り除き、２値化信号をランレングスリミット符号化方式で復号化する。後述するように、各データブロックの先頭の符号化データを復号化する時は直前のデータブロックの最後の符号化データを用いて復号化し、各データブロックの最後の符号化データを復号化する時は、次のデータブロックの先頭の符号化データを用いて復号化する。従って（１−７）復号化器８０６は、実質的に複数の前記データブロックの２値化信号をデータ記録領域からの再生順に結合し、結合された２値化信号の全体を１つのデータストリームとしてランレングスリミット符号化方式で復号化する（図１６（ｄ））。（１−７）復号化器８０６は、実質的に図１６（ｅ）に示す復号化された１つのデータストリームを出力する。
ＥＣＣデコーダ８０７は、図１６（ｅ）に示すデータストリームを更に復号化して、出力する。
＜（１−Ｄ）演算器の説明（図８、図９）＞
（１−Ｄ）演算器８０３は、遅延器８１１及び減算器８１２を含む（図８）。
図９は、（１−Ｄ）演算器８０３の各部の波形を示すタイミングチャートである。
図９において、９０１は（１−Ｄ）演算器８０３の入力信号（Ａ／Ｄコンバータ８０２から出力された１０ビットデジタル再生信号）の波形、９０２は遅延器８１１の出力信号の波形、９０３は減算器８１２の出力信号の波形、９０４（ａ）はビタビデコーダ８０５の出力信号（２値化した信号である。）の波形を示す。９０４（ｂ）は、ビタビデコーダ８０５の出力信号のデジタル値を示す。
９０１〜９０４はいずれも１０ビットのデジタル信号であるが、見易いようにアナログ信号に変換して表示している。
又、図９は２個のセグメントの切り替わり部分の波形を示している。
９０６は前のセグメントのデータ記録領域１１１の再生期間、９０７はプリピット領域１０６の期間、９０８は後のセグメントのデータ記録領域１１１の再生期間を示す。９０９は１クロック分（１個のデータ）の期間を示す。
図９においては、プリライト部１１６及びポストライト部１１７を省略しており、プリピット領域１０６の期間も実際より狭く表示している。
Ａ／Ｄコンバータ８０２から出力された１０ビットデジタル再生信号９０１が、遅延器８１１及び減算器８１２に入力される。
遅延器８１１は、１０ビットデジタル再生信号９０１を１クロック分遅延し、遅延した１０ビットデジタル再生信号９０２を出力する。
減算器８１２は、１０ビットデジタル再生信号９０１から遅延した１０ビットデジタル再生信号９０２を減算し、減算結果の差分信号９０３を出力する（（差分信号９０３）＝（再生信号９０１）−（再生信号９０２））。
光ピックアップがプリピット領域１０６からデータ記録領域１１１に移った部分で、再生信号は大きなスキューを生じる（図１（ｃ）の１１９、図９の９０１及び９０２の９０８の区間）。スキュー成分は符号化データの周波数に比べてはるかに低周波の成分である故、１クロック分の時間差を有する２個の再生信号が有するスキュー成分（ＤＣ変移）は等しい。
減算器８１２は２個の信号９０１、９０２を減算することにより、当該スキュー成分をキャンセルする。従って、スキュー成分の影響を受けない差分信号９０３が生成される。
又、先頭に追加された符号化データ９１１の差分信号は生成しない。これにより、再生信号の中から先頭に追加された符号化データを除去する。
２番目の符号化データ（データブロックの先頭のデータ）９１２から差分信号を生成する。例えば、２番目の符号化データ９１２の差分信号は下記の式で表される。差分信号９０３＝２番目の符号化データ９１２−１番目の符号化データ９１１
このようにして生成された差分信号は、（１−７）符号化器の出力信号を１０ビットデータにしてノイズを加えたものと見なすことが出来る。
ビラビデコーダ８０５は、ノイズが加えられた（１−７）符号化方式の符号化データ（１０ビットのデジタルデータ）からビタビアルゴリズムにより最も符号距離の近い２値の符号化データに選択して出力する。
このように（１−Ｄ）演算器８０３は、スキュー成分の影響を排除して再生信号の差分信号を生成する。
Ａ／Ｄコンバータが出力するデジタル再生信号を１０ビットのデジタルデータＳ（０）、Ｓ（１）、Ｓ（２）、・・・Ｓ（ｎ）とすると、差分信号は、Ｓ（１）−Ｓ（０）、Ｓ（２）−Ｓ（１）、Ｓ（３）−Ｓ（２）、・・・Ｓ（ｎ）−Ｓ（ｎ−１）となる。
前のデータブロックのデジタル再生信号を１０ビットのデジタルデータＳ’（０）、Ｓ’（１）、Ｓ’（２）、・・・Ｓ’（ｎ）とすると、前のデータブロックの最後の符号化データの再生信号はＳ’（ｎ）であるから、Ｓ’（ｎ）＝Ｓ（０）よりＳ（１）−Ｓ（０）＝Ｓ（１）−Ｓ’（ｎ）と同じである（スキューの影響等を除く。）。
従って２個のデータブロックの再生信号から生成される差分信号は、Ｓ’（１）−Ｓ’（０）、Ｓ’（２）−Ｓ’（１）、Ｓ’（３）−Ｓ’（２）、・・・Ｓ’（ｎ）−Ｓ’（ｎ−１）、Ｓ（１）−Ｓ’（ｎ）、Ｓ（２）−Ｓ（１）、Ｓ（３）−Ｓ（２）、・・・Ｓ（ｎ）−Ｓ（ｎ−１）となり、隣接するデータブロックの間で連続性を有する。
（１−Ｄ）演算器８０３においては、正確に差分信号を得ることが重要である。
実施例１の光磁気ディスクにおいては、各セグメントのデータ記録領域の先頭には前のセグメントの最後の符号化データ９１０（図９）と同じ値のデータが記録されており（図９の追加されたデータ９１１）、スキューの影響を受けずに正確な差分信号を得ることが出来る。
図９の９０１において、もし追加された１ビットのデータ９１１がなければ、減算器８１２、９１３はデータ９１１から９１２への変化を検出できない。
図１（ｃ）、図９の９０１及び９０２に示すように再生波形はプリピット領域１０６のＤＣ成分の影響や媒体の複屈折の影響等により、プリピット領域の前後のデータ記録領域の間でＤＣ的な大きな揺らぎ（スキュー）が発生する。このため、区間９０８の先頭に来るデータ９１２と区間９０６の最後のデータ９１０との正確な差分信号９０３＝再生信号９１２−再生信号９１０を得ることは極めて困難である。
従って変化点だけに注目して差分信号を検出する方法ではなく、再生信号そのものを２値化してその後連続する２個の再生信号の差分信号を生成する（データ９１０から９１２への変化を検出する。）等の方法を採用するが、この方法においても再生信号のスキューの影響を受ける故に、正確に記録した符号化データを再生することが困難である。
プリピット領域１０６直後の溝部又は溝間部は、再生信号にスキュー歪みを生じ易い領域である故、従来はデータ記録領域として適していないと考えられていた。実施例１においては、ここに追加された１ビットのデータを含むデータを記録し、当該１ビットのデータを利用して正しく安定的にデータを再生することが出来た。
＜ビタビデコーダの説明＞
ビタビデコーダ８０５は、２個の差分信号９０３を入力し、最尤復号をし、ＮＲＺＩ変換の復号化を行い、２値化した符号化データ９０４（ａ）、（ｂ）を出力する。
出力された２値化した符号化データ９０４（ａ）、（ｂ）は、ＮＲＺＩ変換の復号化をされたデータである。
この符号化データ９０４（ａ）、（ｂ）は、誤りがなければ、記録時におけるＮＲＺＩ変換器３１１（図３）の入力信号と同じ信号である。
ビタビデコーダ８０５は、（１−Ｄ）演算器８０３が出力する２個の連続する再生信号の差分信号（１０ビットのデジタル再生信号）を入力し、最尤復号を行う。
１０ビットＡ／Ｄコンバータ８０２の出力信号を順にＳ（０）、Ｓ（１）、Ｓ（２）、・・・Ｓ（ｎ）とする。Ｓ（０）は追加された前のデータブロックの最後のデータと同じ値のデータの再生信号であり、Ｓ（０）、Ｓ（１）、Ｓ（２）、・・・Ｓ（ｎ）は１０ビットのデジタル信号であるとする。
（１−Ｄ）演算器８０３は上記Ｓ（０）、Ｓ（１）・・・Ｓ（ｎ）を入力して、Ｓ（１）−Ｓ（０）、Ｓ（２）−Ｓ（１）、Ｓ（３）−Ｓ（２）、・・・Ｓ（ｎ）−Ｓ（ｎ−１）を出力する。
これらの出力信号の期待値はＡ、０、又は−Ａの３値である（Ａは１０ビットのデジタル信号である。）。Ａ、０及び−Ａは、それぞれ２値のデータの差分信号１、０及び−１に対応している。
ビタビデコーダ８０５は、ノイズ成分を含む（１−Ｄ）演算器８０３の出力信号を、Ａ（上方向の矢印）、０（横方向の矢印）、−Ａ（下方向の矢印）に当てはめて全ビットでの遷移状態を決定していく。ビタビデコーダ８０５は、各パス遷移での尤度を示すパスメトリックを計算することで最も確からしい（尤らしい）パスを順次決定していくことにより各点の遷移状態（Ｓｔ１、Ｓｔ０）を確定する。
ビタビデコーダ８０５は確定した状態を２値化し、２値化した符号化データ９０４（ａ）、（ｂ）を出力する。
＜（１−７）復号化器の構成の説明（図１０）＞
以下、（１−７）符号化方式による復号化器８０６についてさらに説明する。
図１０は、（１−７）符号化方式による復号化器８０６（図８）の構成を示す。
Ｄフリップフロップ（Ｄ−ＦＦ）１００１〜１００８は８段のシリアル入力パラレル出力型シフトレジスタであり、Ｄフリップフロップ１００１のＤ入力端子に入力した（１−７）復号化器８０６の入力データをシフトし、それぞれパラレルに出力する。
（１−７）復号化変換器１００９は、Ｄフリップフロップ１００２、１００３の各出力信号（次の復号化の対象である符号化データの先頭の２ビット）、Ｄフリップフロップ１００４〜１００６の各出力信号（復号化の対象である符号化データ）及びＤフリップフロップ１００７、１００８の各出力信号（直前の復号化の対象であった符号化データの最後の２ビット）を入力し、表２に示した変換則に従って２ビットの復号化されたデータを出力する。
（１−７）復号化変換器１００９の構成は任意である。
Ｄフリップフロップ１０１０、１０１１は２段のパラレル入力シリアル出力型シフトレジスタであり、Ｄフリップフロップ１０１０、１０１１のＤ入力端子に入力した復号化されたデータ（（１−７）復号化変換器１００９の出力信号）をシフトして、Ｄフリップフロップ１０１１の出力端子から出力する。
Ｄフリップフロップ１０１１が出力する復号化されたデータは、（１−７）復号化器８０６の出力信号である。
＜（１−７）復号化器の動作の説明（図１１）＞
図１１は、（１−７）符号化方式による復号化器８０６の動作のフローチャートを示す。
最初に、Ｄフリップフロップ１１０１〜１００８に３個のクロック信号を入力し、Ｄフリップフロップ１００４、１００５にあった信号をＤフリップフロップ１００７、１００８に転送し、Ｄフリップフロップ１００１〜１００３にあった信号をＤフリップフロップ１００４〜１００６に転送し、Ｄフリップフロップ１００１〜１００３に新たな３ビットの入力データ（符号化データ）をロードする（ステップ１１０１）。
次に、（１−７）復号化変換器１００９は、Ｄフリップフロップ１００２〜１００８の出力信号を入力し、表２に示した変換則に従って２ビットの復号化されたデータを生成し、出力する（ステップ１１０２）。
次に、ステップ１１０３において、Ｄフリップフロップ１０１０、１０１１は（１−７）復号化変換器１００９の出力信号をロードし、２個のクロック信号を入力して当該ロードしたデータをシフトする。Ｄフリップフロップ１０１０、１０１１にあった２個の符号化データがシリアル出力される。
以上のステップ１１０１〜１１０３を繰り返す。
各セグメントに記録したデータブロックの最後の３ビットの符号化データを復号化する時は、直前に復号化した符号化データの最後の２ビットをＤフリップフロップ１００７、１００８にロードし、当該最後の３ビットのデータをＤフリップフロップ１００４〜１００６にロードし、及び次のセグメントの先頭の３ビットの符号化データ（先頭に追加された１ビットのデータは除去されている。）をＤフリップフロップ１００１〜１００３にロードして復号化する。即ち、２個の隣接するセグメントのデータブロックのデータを使用して（１−７）符号化方式により復号化が行われる。
従って上記の復号化は次のセグメントの先頭の３ビットの符号化データをロードした時点で復号化を実行する。２個のデータ記録領域に挟まれたプリピット領域の区間では（１−７）復号化器８０６の動作は停止する。
各セグメントに記録したデータブロックの先頭の３ビットの符号化データを復号化する時は、プリピット領域の区間で動作を停止した（１−７）復号化器８０６を再び動作を開始させれば良い。
直前のセグメントに記録したデータブロックの最後の符号化データの最後の２ビットをＤフリップフロップ１００４、１００５からＤフリップフロップ１００７、１００８に転送し、当該先頭の３ビットの符号化データをＤフリップフロップ１００１〜１００３からＤフリップフロップ１００４〜１００６に転送し、これに続く３ビットの符号化データをＤフリップフロップ１００１〜１００３にロードして（Ｄフリップフロップ１００１にロードした符号化データは復号化に使用しない。）復号化する。
上記の様に、各セグメントに記録するデータブロックの最後の３ビットの符号化データと次のセグメントに記録するデータブロックの先頭の３ビットの符号化データの復号化処理は、クロック信号を制御することにより容易に実行できる。
１個のＥＣＣブロックの符号化データの先頭の符号化データの復号化について、表５を参照して説明する。
（１−７）符号化方式においては、復号化の対象である符号化データと、その前後の符号化データとを使用して、符号化データを正しく復号化することが出来る。
実施例１においては前置の３ビットの符号化データを生成し記録することにより、１個のＥＣＣブロックのデータの先頭のデータを正しく符号化し、復号化することが出来る。
表５に、１個のＥＣＣブロックのデータの先頭のデータを復号化する様子を示す。表５は、表２に従って特定のデータを復号化した様子を示す。
【表５】
2002029811.tif 000007
１個のＥＣＣブロックの符号化データの前には、前述の様に３ビットの前置の符号化データが記録されている（先頭に追加された一定の１ビットのデータ０は既に除去されている。）。この前置の符号化データを使用して、先頭の符号化データを正しく復号化出来る。
１個のＥＣＣブロックの符号化データの復号化を開始すると、最初にステップ１１０１〜１１０３を２回続けて実行する。これにより３ビットの前置の符号化データ（表５の入力データ２「復号化しようとする前置の符号化データ」の欄）がＤフリップフロプ１００４〜１００６にロードされ、３ビットの先頭の符号化データ（表５の入力データ３「復号化しようとする先頭の符号化データ」の欄）がＤフリップフロプ１００１〜１００３にロードされる。
次に、３回目のステップ１１０１〜１１０３を実行する。
Ｄフリップフロップ１００５、１００６にロードされている前置の符号化データの最後の２ビットがＤフリップフロップ１００７、１００８に転送され、３ビットの先頭の符号化データがＤフリップフロップ１００４〜１００６にロードされ、３ビットの後続する符号化データ（表５の入力データ４「後続する符号化データ」の欄）がＤフリップフロップ１００１〜１００３に新たにロードされる。
Ｄフリップフロップ１００２〜１００８にロードされている符号化データが、（１−７）復号化変換器１００９によって復号化される。復号化されたデータがＤフリップフロップ１０１０、１０１１にロードされ、出力される（表５の出力データ３「先頭の符号化データの復号化されたデータ」の欄）。
１個のＥＣＣブロックの符号化データの最後の符号化データの復号化について、表６を参照して説明する。
実施例１の光磁気ディスクにおいては、１個のＥＣＣブロックの符号化データの最後の符号化データの後には、一定の符号化データ（実施例１においては００１）が追加して記録されている。この追加された一定の符号化データを使用して、１個のＥＣＣブロックの符号化データの最後の符号化データを復号化することが出来る。
１個のＥＣＣブロックの符号化データの最後の符号化データの復号化の様子を表６に示す。表６は、表２に従って特定のデータを符号化した様子を示す。
【表６】
2002029811.tif 000008
ステップ１１０１〜１１０３を実行する。
Ｄフリップフロップ１００５、１００６にロードされている最後から２番目の符号化データの最後の２ビット（表６の入力データ０「直前の符号化データの最後の２ビット」の欄）がＤフリップフロップ１００７、１００８に転送され、３ビットの最後の符号化データ（表６の入力データ１「符号化しようとする最後の符号化データ」の欄）がＤフリップフロップ１００１〜１００３からＤフリップフロップ１００４〜１００６に転送され、これに続く３ビットの後置の符号化データ（表６の入力データ２「後置の符号化データ１」の欄）がＤフリップフロップ１００１〜１００３に新たにロードされる。
Ｄフリップフロップ１００２〜１００８にロードされている符号化データが、（１−７）復号化変換器１００９によって復号化される。復号化されたデータ（最後の符号化データを復号化したデータ）がＤフリップフロップ１０１０、１０１１にロードされ、出力される（表６の出力データ１「最後の符号化データの復号化されたデータ」の欄）。
その後、後続する後置の符号化データ１等の復号化を実行しても良く、実行しなくても良い。復号化を実行した場合には、後続する後置の符号化データ１等の復号化されたデータは００である（表６の出力データ２「後置の符号化データ１の復号化されたデータ」の欄等）。実施例においては、後置の符号化データの復号化は実行しない。
最後の符号化データを復号化するために、３ビットの後置の符号化データ１の中の先頭の２ビットを使用する故、少なくとも後置の符号化データ１の中の先頭の２ビットが光磁気ディスクに記録されている。
以上のように実施例１の記録装置は、連続する符号化データを複数のデータ記録領域に分割して光磁気ディスクに記録し、前のデータ記録領域に記録されている最後の符号化データと同一の値のデータを次のデータ記録領域の先頭に追加して記録する。
実施例１の再生装置は、簡単な構成で、（１−７）符号化方式で符号化され、異なるセグメントに分割記録された符号化データを復号化する。
実施例１の光磁気ディスクは、複数のセグメントに分割された１個のＥＣＣブロックの符号化データ（（１−７）符号化方式で符号化されている。）を、わずかな付加情報を追加することによって復号化容易な状態にして、記録している。
又、各セグメントのチャンネルビット数をバイト単位よりも小さな単位である２ビット単位で任意に決定することが可能となり、フォーマット効率の高い高密度な光磁気ディスクを実現することができる。
近年、光ビームのスポット径以下のマーク長（記録媒体のデータ記録領域上の１ビットのデータの長さ）のデータを記録することが出来る磁壁移動検出方式の光磁気記録媒体が注目されている（特開平６−２９０４９６号公報を参照）。
磁壁移動検出方式の光磁気記録媒体は、記録膜が例えば記録層、中間層及び再生層の３層からなる。再生時に光ビームを照射すると、再生しようとしている記録膜の部分に温度勾配が生じる。当該光磁気記録媒体の記録膜においては、一定の温度勾配が生じると記録されている磁区の再生層の磁壁（１ビットの記録データを構成する磁区と、これに隣接する磁区との境界面）が移動し、この磁壁移動によって再生しようとしている磁区の長さが拡大される。光ビームのスポット径以下の長さであった磁区が拡大されて光ビームのスポット径と同程度の長さの磁区になる故、当該拡大された磁区の再生信号を光ピックアップで検出することが出来る。
このようにして、光ビームのスポット径以下の再生分解能を実現する。
磁壁移動検出方式の光磁気記録媒体はプリピット領域のＤＣ歪（スキュー）が発生しやすい特性である故、磁壁移動検出方式の光磁気記録媒体、その記録装置、及びその再生装置において、スキューの影響を除去できる本発明は特に有効である。
又、高密度記録が可能な磁壁移動検出方式の光磁気記録媒体の再生信号の周波数は非常に高くなる故、ＮＲＺＩ方式により符号化された符号化データを記録することによって再生信号の基本の周波数を下げることが出来る本発明は、磁壁移動検出方式の光磁気記録媒体等に特に適している。
《実施例２》
実施例１の光磁気ディスクにおいては、１個のＥＣＣブロックの符号化データの先頭に１ビット（有効なデータのビット数）の所定のデータ４０６（実施例１では０）と３ビットの前置の符号化データ（００１又は０１０）とが記録されている。
実施例２の光磁気ディスクにおいては、１個のＥＣＣブロックの符号化データの先頭に１ビット（有効なデータのビット数）の所定のデータ４０６（例えば０）と３ビットの前置の符号化データの最後の２ビット（０１又は１０）とが記録されている。
１個のＥＣＣブロックの符号化データの先頭の符号化データを復号化するためには、３ビットの前置の符号化データの中の最後の２ビット（０１又は１０）があれば良いからである。
これ以外の点において、実施例２の光磁気ディスクは実施例１の光磁気ディスクと同一である。
《実施例３》
実施例１の光磁気ディスク上の１個のＥＣＣブロックの最後のセグメントにおいては、最後の符合化データが記録された後にも後置の符号化データ４０８が記録されている。
実施例３の光磁気ディスク上の１個のＥＣＣブロックの最後のセグメントにおいては、最後の符合化データが記録された後には何も記録されない。
実施例３の光磁気ディスクの再生装置においては、最後の符号化データの復号化時には、通常と異なる以下の処理を実行する。
図１０において、最後の符号化データを復号化する時は、直前に復号化した符号化データの最後の２ビットをＤフリップフロップ１００４、１００５からＤフリップフロップ１００７、１００８に転送し、３ビットの最後の符号化データをＤフリップフロップ１００１〜１００３からＤフリップフロップ１００４〜１００６に転送し、Ｄフリップフロップ１００１〜１００３には一定の値００１（表６の入力データ２「後置の符号化データ１」の欄の値である。（１−７）復号化器８０６が記憶している。）をロードする。
（１−７）復号化変換器１００９は、Ｄフリップフロップ１００２〜１００８が出力する符号化データを入力し、復号化し、復号化されたデータを出力する。復号化されたデータは、Ｄフリップフロップ１０１０、１０１１にロードされ、シフトされ、出力される。
最後の符号化データの検出は、（１−７）復号化器８０６が内蔵するクロックカウンタ（図示していない。）により検出する。
クロックカウンタは、例えば（１−７）復号化器８０６に入力する符号化データの数をカウントしても良く、（１−７）復号化器８０６の復号化回数をカウントしても良く、（１−７）復号化器８０６が出力する復号化されたデータの数をカウントしても良い。
表６の入力データ２「後置の符号化データ１」の欄の値に示す様に、後置の符号化データ４０８は実施例において常に００１の連続である故に、実施例３の光磁気ディスク及びその再生装置を実現することが出来る。
Ｄフリップフロップ１００１にロードしたデータは使用しない故に、一定の値００１に代えて０００をＤフリップフロップ１００１〜１００３にロードしても良い。
これ以外の点において、実施例３の光磁気ディスク及びその再生装置は実施例１の光磁気ディスク及びその再生装置と同一である。
《実施例４》
実施例４の記録媒体の記録方法を説明する。
図１３は、実施例４の記録媒体の記録方法を図示する。
最初に入力データを符号化し、ＥＣＣエンコードし、ＥＣＣブロックを生成する（ステップ１３０１）。
次に、１個のデータストリーム（ＥＣＣブロック）から分割された複数のデータブロックを生成する（ステップ１３０２）。
次に、先頭のデータブロックの前に前置のデータを追加し、最後のデータブロックの最後に後置のデータを追加する（ステップ１３０３）。
次に、各データブロックを（１−７）符号化方式及びＮＲＺＩ方式で符号化する（ステップ１３０４）。各データブロックの先頭のデータを符号化する時には直前のデータブロックの最後のデータを使用して符号化し、各データブロックの最後のデータを符号化する時には次のデータブロックの先頭のデータを使用して符号化する。
次に、前置の符号化データ及び先頭のデータブロックの前に、一定の値のデータを追加して、追加されたデータを含むデータブロックを生成する（ステップ１３０５）。
一定の値のデータのビット数は任意である。好ましくは、当該一定の値のデータは、有効なデータである１ビットのデータとプリライト部に記録する４ビットのデータとを含む５ビットのデータである（５ビットは全て同じ値のデータである。）。
好ましくは、先頭のデータブロックの後に、先頭のデータブロックの最後の１ビットの符号化データと同じ値の４ビットのデータを追加する。追加された４ビットのデータは、次のステップ１３０６において記録媒体のポストライト部に記録される。
次に、先頭の追加されたデータを含むデータブロックを記録媒体の先頭のセグメントに記録する（ステップ１３０６）。プリライト部及びポストライト部には、それぞれ上記の４ビットのデータが記録される。
次に、２番目のデータブロックの前に、前のデータブロックの最後の１ビットの符号化データと同じ値のデータを追加して、追加されたデータを含むデータブロックを生成する（ステップ１３０７）。
前のデータブロックの最後の１ビットの符号化データと同じ値のデータのビット数は任意である。好ましくは、当該同じ値のデータは、有効なデータである１ビットとプリライト部に記録する４ビットのデータとを含む５ビットのデータである（５ビットは全て同じ値のデータである。）。
好ましくは、２番目のデータブロックの後に、２番目のデータブロックの最後の１ビットの符号化データと同じ値の４ビットのデータを追加する。追加された４ビットのデータは、次のステップ１３０８において記録媒体のポストライト部に記録される。
次に、２番目の追加されたデータを含むデータブロックを記録媒体の２番目のセグメントに記録する（ステップ１３０８）。プリライト部及びポストライト部には、それぞれ上記の４ビットのデータが記録される。
以下、ステップ１３０７及びステップ１３０８を繰り返し、３番目の追加されたデータを含むデータブロック等を生成し、生成したデータブロックを記録媒体の３番目のセグメント等に記録する。
次に、最後のデータブロック及び後置の符号化データの前に、前のデータブロックの最後の１ビットの符号化データと同じ値のデータを追加して、追加されたデータを含むデータブロックを生成する（ステップ１３０９）。
前のデータブロックの最後の１ビットの符号化データと同じ値のデータのビット数は任意である。好ましくは、当該同じ値のデータは、有効なデータである１ビットとプリライト部に記録する４ビットのデータとを含む５ビットのデータである（５ビットは全て同じ値のデータである。）。
好ましくは、後置の符号化データは、記録媒体のデータ記録領域を一杯にし、更に４ビットの後置の符号化データがポストライト部に記録されるだけのチャンネルビット数を有する。追加された４ビットのデータは、次のステップ１３１０において記録媒体のポストライト部に記録される。
次に、最後の追加されたデータを含むデータブロックを記録媒体の最後のセグメントに記録する（ステップ１３１０）。プリライト部及びポストライト部には、それぞれ上記の４ビットのデータが記録される。
以下、ステップ１３０１〜１３１０を繰り返す。
《実施例５》
実施例５の記録媒体の再生方法を説明する。実施例５の再生方法は、上記の実施例４の記録方法によりデータを記録された記録媒体から、データを再生する。
図１４は、実施例５の記録媒体の再生方法を図示する。
最初に記録媒体から１個のＥＣＣブロックの再生信号を再生する（ステップ１４０１）。１個のＥＣＣブロックの信号は、複数のセグメントに分割されて記録されている。
次に、再生信号を１０ビットのデジタルデータＳ（０）、Ｓ（１）、Ｓ（２）、・・・Ｓ（ｎ）に変換する（ステップ１４０２）（プリライト部及びポストライト部から読み出された再生信号は１０ビットのデジタルデータに変換されず、除去される。
次に、２個の連続する再生信号の差分信号Ｓ（１）−Ｓ（０）、Ｓ（２）−Ｓ（１）、Ｓ（３）−Ｓ（２）、・・・Ｓ（ｎ）−Ｓ（ｎ−１）を生成する（ステップ１４０３）。
前のデータブロックの再生信号を１０ビットのデジタルデータＳ’（０）、Ｓ’（１）、Ｓ’（２）、・・・Ｓ’（ｎ）とすると、前のデータブロックの最後の符号化データの再生信号はＳ’（ｎ）であるから、Ｓ’（ｎ）＝Ｓ（０）よりＳ（１）−Ｓ（０）＝Ｓ（１）−Ｓ’（ｎ）と同じである（スキューの影響等を除く。）。
従って２個の連続するセグメントの差分信号は、Ｓ’（１）−Ｓ’（０）、Ｓ’（２）−Ｓ’（１）、Ｓ’（３）−Ｓ’（２）、・・・Ｓ’（ｎ）−Ｓ’（ｎ−１）、Ｓ（１）−Ｓ’（ｎ）、Ｓ（２）−Ｓ（１）、Ｓ（３）−Ｓ（２）、・・・Ｓ（ｎ）−Ｓ（ｎ−１）となり、隣接するデータブロックの間で連続性を有する。
次に、差分信号から尤度を示すパスメトリックを計算することにより最も確からしいパスを決定し、差分信号を２値化する（ステップ１４０４）。この段階で、ＮＲＺＩ変換の復号化が完了している。
次に、２値化したデータを（１−７）符号化方式により復号化する（ステップ１４０５）。１個のデータブロックの最後の符号化データは、当該最後の符号化データと、最後から２番目の符号化データと、次のデータブロックの先頭の符号化データとを使用して復号化することが出来る。
同様に、次のデータブロックの先頭の符号化データは、前のデータブロックの最後の符号化データと、次のデータブロックの先頭の符号化データと、次のデータブロックの先頭から２番目の符号化データとを使用して復号化することが出来る。
前置の符号化データ及び後置の符号化データを用いることにより、先頭のデータブロックの先頭の符号化データ及び最後のデータブロックの最後の符号化データを復号化することが出来る。
次に、上記の復号化されたデータをＥＣＣ符号化方式によりデコードする（ステップ１４０６）
次に、デコードされたデータを１個の連続するストリームデータとして出力する（ステップ１４０７）。
以下、ステップ１４０１〜１４０７を繰り返す。
《実施例６》
実施例６の記録媒体の再生方法を説明する。
上記の実施例４の記録方法においては、最後のデータブロックの後に後置の符号化データを記録媒体に記録した。他の実施例の記録方法においては、最後のデータブロックの後には何も記録媒体に記録しない。
実施例６の再生方法は、最後のデータブロックの後には何も記録していない記録媒体からデータを再生する方法である。
図１５は、実施例６の記録媒体の再生方法を図示する。実施例６の記録媒体の再生方法は、基本的には実施例５の記録媒体の再生方法と同じフローチャートである。
最初に記録媒体から１個のＥＣＣブロックの再生信号を再生する（ステップ１５０１）。１個のＥＣＣブロックの信号は、複数のセグメントに分割されて記録されている。
次に、再生信号を１０ビットのデジタルデータＳ（０）、Ｓ（１）、Ｓ（２）、・・・Ｓ（ｎ）に変換する（ステップ１５０２）（プリライト部及びポストライト部から読み出された再生信号は１０ビットのデジタルデータに変換されず、除去される。
次に、２個の連続する再生信号の差分信号Ｓ（１）−Ｓ（０）、Ｓ（２）−Ｓ（１）、Ｓ（３）−Ｓ（２）、・・・Ｓ（ｎ）−Ｓ（ｎ−１）を生成する（ステップ１５０３）。
差分信号は、隣接するデータブロックの間で連続性を有する。
次に、差分信号から尤度を示すパスメトリックを計算することにより最も確からしいパスを決定し、差分信号を２値化する（ステップ１５０４）。この段階で、ＮＲＺＩ変換の復号化が完了している。
次に、復号化が完了した符号化データの数を示すカウンタｋをｋ＝０にする（初期化する。）（ステップ１５０５）。
次に、２値化した符号化データを３ビットずつ（１−７）符号化方式により復号化する（ステップ１５０６）。
次に、ｋ＝ｋ＋３とする（ステップ１５０７）。
次に、ｋの値が最後の符号化データの番号ｋ　ｌａｓｔと同一か否かをチェックする（ステップ１５０８）。
ｋの値が最後の符号化データの番号ｋ　ｌａｓｔと同一であれば、ステップ１５０９に進む。
ｋの値が最後の符号化データの番号ｋ　ｌａｓｔと同一でなければ、ステップ１５０６に戻り、ステップ１５０６〜１５０８のステップを繰り返す。
１個のデータブロックの最後の符号化データは、最後から２番目の符号化データと、最後の符号化データと、次のデータブロックの先頭の符号化データとを使用して復号化することが出来る。
同様に、次のデータブロックの先頭の符号化データは、前のデータブロックの最後の符号化データと、次のデータブロックの先頭の符号化データと、次のデータブロックの先頭から２番目の符号化データとを使用して復号化することが出来る。
前置の符号化データを用いることにより、先頭のデータブロックの先頭の符号化データを復号化することが出来る。
ステップ１５０９においては、最後のデータブロックの最後の符号化データを、最後から２番目の符号化データと、最後の符号化データと、一定の値（実施例においては００１）とを併せて使用し、（１−７）符号化方式により復号化する。
次に、上記の復号化されたデータをＥＣＣ符号化方式によりデコードする（ステップ１５１０）
次に、デコードされたデータを１個の連続するストリームデータとして出力する（ステップ１５１１）。
以下、ステップ１５０１〜１５１１を繰り返す。
上記の実施例においては、ＥＣＣブロックを最初に複数のデータブロックに分割し、その後各データブロックを（１−７）符号化方式により符号化し且つＮＲＺＩ変換している。但し、各データブロックの先頭のデータを（１−７）符号化方式により符号化する時には直前のデータブロックの最後のデータを使用して符号化し、各データブロックの最後のデータを（１−７）符号化方式により符号化する時には次のデータブロックの先頭のデータを使用して符号化している。
しかし、本発明の構成はこれに限られず、ＥＣＣブロック全体をまとめて（１−７）符号化方式により符号化した後、ＲＡＭに生成された符号化データを書き込み、複数のデータブロックに分割して符号化データを読み出し、各データブロック毎にＮＲＺＩ変換することも出来る。
同様に、ＥＣＣブロック全体をまとめて（１−７）符号化方式により符号化し且つＮＲＺＩ変換した後、ＲＡＭに生成された符号化データを書き込み、複数のデータブロックに分割して符号化データを読み出すことも出来る。
特許請求の範囲の記載における符号化部は、上記の構成のいずれの構成をもその技術的範囲に含む。
又、実施例においてはＥＣＣブロックを最初に生成しているが、これに限られず、他の符号化（エンコード）信号でもよく、又は符号化をしていないデータでもよい。
本発明の実施例においては（１−７）符号化方式を用いているが、これに代えて、他のランレングスリミット符号化方式（例えば（２−７）符号化方式）、又は前又は後の符号化データを使用して復号化を行う他の任意のランレングスリミット符号化方式を用いて本発明を実施することが出来る。
また、本発明は、一定回転で記録媒体を回転させて記録再生を行うＣＡＶ（Ｃｏｎｓｔａｎｔ　Ａｎｇｕｌａｒ　Ｖｅｌｏｃｉｔｙ）方式、線速度が一定になるように記録媒体を回転させて記録再生を行うＣＬＶ（Ｃｏｎｓｔａｎｔ　Ｌｉｎｅａｒ　Ｖｅｌｏｃｉｔｙ）方式、又はＺＣＬＶ方式（Ｚｏｎｅｄ　ＣＬＶ）等のいずれの方式の記録媒体にも適用可能である。
更に、本発明は、光磁気ディスクのみならず、相変化型の光ディスク、磁気カード、その他任意の記録媒体に適用可能である。
上記の実施例の記録方法又は再生方法の機能の全体又は一部と同じ機能を実行する記録方法又は再生方法のソフトウエアプログラムを記録した記録媒体を、光ディスク等の記録媒体（データの記録媒体）の記録装置又は再生装置に備えられた記録媒体（ソフトウエアプログラムの記録媒体）の読取装置に装着し、当該記録装置又は再生装置に当該ソフトウエアプログラムをロードして実行することにより、上記の実施例の記録方法又は再生方法を実行することが出来る。
本発明によれば、各データ記録領域の符号化データとその前後のデータ記録領域の符号化データとの間に連続性を持たせることにより、実効的に高い記録密度の記録媒体並びにその記録装置及び記録方法を実現出来るという有利な効果が得られる。
またデータ記録領域のチャンネルビット数を１個のＥＣＣブロックのデータ量と無関係に決定することが可能となり、フォーマット効率の高い高密度な記録媒体並びにその記録装置及び記録方法を実現することができる。
本発明によれば、特に１個のＥＣＣブロックが多くのデータ記録領域に分割されている記録媒体（例えば、１周の長さの記録トラックが１０００個以上のデータ記録領域に分割されたディスク形状の記録媒体）において、実効的な記録密度が高くエラー訂正能力の高い記録媒体並びにその記録装置及び記録方法を実現するという有利な効果が得られる。
本発明によれば、スキュー歪みを有する（低周波の波形歪み）再生信号を再生装置で正確に２値化することが容易な記録媒体並びにその記録装置及び記録方法を実現することが出来るという有利な効果が得られる。
更に、例えば（１−７）符号化方式により符号化され且つＮＲＺＩ変換された符号化データを記録した記録媒体の再生装置においては、各データ記録領域ごとに所定のデータを基準にしてスキュー歪みの影響を受けることなく符号化データを復号化することが出来る。
本発明によれば、簡易な構成の再生装置により正確に再生可能な記録媒体並びにその記録装置及び記録方法を実現できるという有利な効果が得られる。
本発明によれば、記録装置及び再生装置のクロック制御回路の構成を簡素化することが出来る記録媒体及びその記録装置を実現できるという有利な効果が得られる。
本発明によれば、再生信号を正確に再生する簡易な構成の再生装置及び再生方法を実現できるという有利な効果が得られる。
本発明によれば、本発明の記録媒体からデータを再生できる再生装置及び再生方法を実現できるという有利な効果が得られる。
本発明は、最後の符号化データを復号化するための後置のデータを記録していない記録媒体から再生した再生信号を復号化できる再生装置及び再生方法を実現出来るという有利な効果が得られる。
１個のＥＣＣブロックの符号化データ等を複数のセグメントに記録したとき、最後のセグメントがチャンネルビット数一杯のデータを記録されて後置のデータを更に記録する余裕がない場合には、後置のデータを記録するだけのために当該ＥＣＣブロックに新たな１セグメントを追加する必要がないという有利な効果が得られる。
発明をある程度の詳細さをもって好適な形態について説明したが、この好適形態の現開示内容は構成の細部において変化してしかるべきものであり、各要素の組合せや順序の変化は請求された発明の範囲及び思想を逸脱することなく実現し得るものである。
産業上の利用可能性
本発明の記録媒体、記録装置、再生装置、記録方法及び再生方法は、例えば映像信号、音声信号、コンピュータデータ等の種々のデジタルデータを記録する光ディスク等の記録媒体、その記録装置、その再生装置、その記録方法及びその再生方法として有用である。
【図面の簡単な説明】
図１（ａ）は本発明の実施例の光磁気ディスクの全体構成を示す図であり、図１（ｂ）は本発明の実施例のセグメントの概略的な拡大図であり、図１（ｃ）は、セグメントに記録されたデータのアナログ再生信号の波形を模式的に示す図である。
図２は、本発明の実施例の光磁気ディスクのデータゾーン構造を示す図である。
図３は、本発明の実施例の光磁気ディスクの記録装置の構成を示す図である。
図４は、本発明の実施例の記録装置の書き込み／読み出し制御部がＲＡＭに書き込んだ符号化データを読み出す方法を示す図である。
図５は、ＮＲＺＩ変換器の動作を示すタイミングチャートである。
図６は、本発明の実施例の（１−７）符号化方式の符号化器の構成を示す図である。
図７は、本発明の実施例の（１−７）符号化方式の符号化器の動作を示すフローチャートである。
図８は、本発明の実施例の光磁気ディスクの再生装置の構成を示す図である。
図９は、本発明の実施例の（１−Ｄ）演算器の各部の波形を示す図である。
図１０は、本発明の実施例の（１−７）符号化方式の復号化器の構成を示す図である。
図１１は、本発明の実施例の（１−７）符号化方式の復号化器の動作を示すフローチャートである。
図１２（ａ）は従来の光磁気ディスクの全体構成を示す図であり、図１２（ｂ）は従来の光磁気ディスクのフォーマット構造を示す図である。
図１３は、実施例４の光磁気ディスクの記録方法のフローチャートである。
図１４は、実施例５の光磁気ディスクの再生方法のフローチャートである。
図１５は、実施例６の光磁気ディスクの再生方法のフローチャートである。
図１６は、本発明の実施例の再生装置における、符号化データの復号化の様子を示す図である。
図面の一部又は全部は、図示を目的とした概要的表現により描かれており、必ずしもそこに示された要素の実際の相対的大きさや位置を忠実に描写しているとは限らないことは考慮願いたい。
【図１】
2002029811.tif 000009
【図２】
2002029811.tif 000010
【図３】
2002029811.tif 000011
【図４】
2002029811.tif 000012
【図５】
2002029811.tif 000013
【図６】
2002029811.tif 000014
【図７】
2002029811.tif 000015
【図８】
2002029811.tif 000016
【図９】
2002029811.tif 000017
【図１０】
2002029811.tif 000018
【図１１】
2002029811.tif 000019
【図１２】
2002029811.tif 000020
【図１３】
2002029811.tif 000021
【図１４】
2002029811.tif 000022
【図１５】
2002029811.tif 000023
【図１６】
2002029811.tif 000024
【手続補正書】
【提出日】平成14年2月25日(2002.2.25)
【手続補正１】
【補正対象書類名】明細書
【補正対象項目名】特許請求の範囲
【補正方法】変更
【補正の内容】
【特許請求の範囲】
【請求項１】
（補正後）半径方向に複数のゾーンに分割された円盤状情報記録媒体であって、
プリピットを有するプリピット領域と、
前記プリピット領域によって分断されたデータ記録領域であって、且つランレングスリミット符号化方式を含む符号化方式により符号化された符号化データからなる１個のデータストリームを分割したデータブロックを記録した複数のデータ記録領域と、
を有し、
前記データ記録領域のビット数が前記ゾーン毎に異なっており、
それぞれのゾーンの少なくとも１個のデータ記録領域において、少なくとも１ビットの所定の値のデータを前記データブロックの前に更に記録している、
ことを特徴とする記録媒体。
【請求項２】
（補正後）半径方向に複数のゾーンに分割された円盤状情報記録媒体であって、
プリピットを有するプリピット領域と、
前記プリピット領域によって分断されたデータ記録領域であって、且つランレングスリミット符号化方式を含む符号化方式により符号化された符号化データからなる１個のデータストリームを分割したデータブロックを記録した複数のデータ記録領域と、
を有し、
前記データ記録領域のビット数が前記ゾーン毎に異なっており、
それぞれのゾーンの少なくとも１個のデータ記録領域において、前記データ記録領域の前の前記データ記録領域の最後の１ビットの前記符号化データと同じ値のデータを前記データブロックの前に更に記録している、
ことを特徴とする記録媒体。
【請求項３】
前記データブロックがランレングスリミット符号化方式による符号化前のデータ量に換算して２の整数倍のデータ量の前記符号化データを有することを特徴とする請求項１に記載の記録媒体。
【請求項４】
（補正後）半径方向に分割された複数のゾーンを有し、前記ゾーンが複数のデータ記録領域を有し、前記データ記録領域が前記ゾーン毎に異なるビット数のデータを記録する円盤状情報記録媒体の記録装置であって、
ランレングスリミット符号化方式を含む符号化方式により入力データを符号化して生成された符号化データからなる１個のデータストリームを、前記データ記録領域のビット数に応じて分割した複数のデータブロックを生成する符号化部と、
分割された少なくとも１個の前記データブロックの先頭に少なくとも１ビットの所定の値のデータを追加して、追加されたデータを含むデータブロックを生成するデータ追加部と、
前記追加されたデータを含むデータブロックを前記データ記録領域毎に記録する記録部と、
を有することを特徴とする記録装置。
【請求項５】
（補正後）前記所定の値のデータが、前の前記データブロックの最後の１ビットの符号化データと同じ値のデータであることを特徴とする請求項４に記載の記録装置。
【請求項６】
前記データブロックがランレングスリミット符号化方式による符号化前のデータ量に換算して２の整数倍のデータ量の前記符号化データを有することを特徴とする請求項４に記載の記録装置。
【請求項７】
前記符号化部又は前記データ追加部が、最後の前記符号化データの後にｎビット（ｎは任意の正の整数）の予め定められた値のデータを追加する、
ことを特徴とする請求項４から請求項６のいずれかの請求項に記載の記録装置。
【請求項８】
（補正後）半径方向に分割された複数のゾーンを有し、前記ゾーンが複数のデータ記録領域を有し、前記データ記録領域が前記ゾーン毎に異なるビット数のデータを記録する円盤状情報記録媒体の再生装置であって、
前記データ記録領域に記録されている信号を再生して再生信号を出力する再生部と、
連続する２個の前記再生信号の差分である差分信号を生成する差分検出部と、
前記差分信号に基づいて、前記データ記録領域に記録されている信号の少なくとも先頭の１ビットを除いて２値化されたデータを生成する２値化データ生成部と、
複数の前記データ記録領域の前記２値化されたデータをランレングスリミット符号化方式で復号化し、結合して１つのデータストリームを生成する復号化部と、
を有することを特徴とする再生装置。
【請求項９】
（補正後）半径方向に分割された複数のゾーンを有し、
前記ゾーンが複数のデータ記録領域を有し、
前記データ記録領域が、ランレングスリミット符号化方式を含む符号化方式により符号化し、複数のデータブロックに分割して生成した、前記ゾーン毎に異なるビット数の符号化データを記録する、
円盤状情報記録媒体の再生装置であって、
複数の前記データ記録領域のそれぞれから前記データブロックの符号化データを再生する再生部と、
前記データブロックの符号化データ及び次の前記データブロックの符号化データを使用して、前記データブロック又は次の前記データブロックの符号化データを復号化し、複数の前記データブロックから復号化されたデータを結合して１つのデータストリームを出力する復号化部と、
を有することを特徴とする再生装置。
【請求項１０】
（補正後）半径方向に分割された複数のゾーンを有し、
前記ゾーンが複数のデータ記録領域を有し、
前記データ記録領域が、ランレングスリミット符号化方式を含む符号化方式により符号化し、複数のデータブロックに分割し、前記データブロックの前に所定のデータを加えて生成した、前記ゾーン毎に異なるビット数の符号化データを記録する、
円盤状情報記録媒体の再生装置であって、
複数の前記データ記録領域のそれぞれから、データブロックと前記データブロックの前に更に記録された所定のデータとの再生信号を再生して出力する再生部と、
前記再生信号を２値化し、２値化信号を出力する２値化部と、
複数の前記データブロックの前記２値化信号を、少なくとも先頭のデータブロック以外の前記データブロックの前記所定のデータを除いて、前記データ記録領域からの再生順に結合し、結合された前記２値化信号をランレングスリミット符号化方式で復号化する復号化部と、
を有することを特徴とする再生装置。
【請求項１１】
ランレングスリミット符号化方式を含む符号化方式により符号化された符号化データのデータストリームを記録媒体から再生する再生部と、
前記データストリームの符号化データの数、符号化回数、又は復号化されたデータの数をカウントするカウンタと、
前記カウンタの値に基づいて前記データストリームの最後の符号化データを検出するラスト符号化データ検出部と、
復号化の対象である符号化データが前記最後の符号化データであることを前記ラスト符号化データ検出部が検出すれば、少なくとも前記復号化の対象である符号化データ及び一定の値のデータを使用して前記復号化の対象である符号化データを復号化する復号化部と、
を有することを特徴とする再生装置。
【請求項１２】
（補正後）半径方向に分割された複数のゾーンを有し、前記ゾーンが複数のデータ記録領域を有し、前記データ記録領域が前記ゾーン毎に異なるビット数のデータを記録する円盤状情報記録媒体の記録方法であって、
ランレングスリミット符号化方式を含む符号化方式により入力データを符号化して生成された符号化データからなる１個のデータストリームを、前記データ記録領域のビット数に応じて分割した複数のデータブロックを生成する符号化ステップと、
分割された少なくとも１個の前記データブロックの先頭に少なくとも１ビットの所定の値のデータを追加して、追加されたデータを含むデータブロックを生成するデータ追加ステップと、
前記追加されたデータを含むデータブロックを前記データ記録領域毎に記録する記録ステップと、
を有することを特徴とする記録方法。
【請求項１３】
（補正後）前記所定の値のデータが、前の前記データブロックの最後の１ビットの符号化データと同じ値のデータであることを特徴とする請求項１２に記載の記録方法。
【請求項１４】
前記データブロックがランレングスリミット符号化方式による符号化前のデータ量に換算して２の整数倍のデータ量の前記符号化データを有することを特徴とする請求項１２に記載の記録方法。
【請求項１５】
前記符号化ステップ又は前記データ追加ステップにおいて、最後の前記符号化データの後にｎビット（ｎは任意の正の整数）の予め定められた値のデータを追加することを特徴とする請求項１２から請求項１４のいずれかの請求項に記載の記録方法。
【請求項１６】
（補正後）半径方向に分割された複数のゾーンを有し、前記ゾーンが複数のデータ記録領域を有し、前記データ記録領域が前記ゾーン毎に異なるビット数のデータを記録する円盤状情報記録媒体の再生方法であって、
前記データ記録領域に記録されている信号を再生して再生信号を出力する再生ステップと、
連続する２個の前記再生信号の差分である差分信号を生成する差分検出ステップと、
前記差分信号に基づいて、前記データ記録領域に記録されている信号の少なくとも先頭の１ビットを除いて２値化されたデータを生成する２値化データ生成ステップと、
複数の前記データ記録領域の前記２値化されたデータをランレングスリミット符号化方式で復号化し、結合して１つのデータストリームを生成する復号化ステップと、
を有することを特徴とする再生方法。
【請求項１７】
（補正後）半径方向に分割された複数のゾーンを有し、
前記ゾーンが複数のデータ記録領域を有し、
前記データ記録領域が、ランレングスリミット符号化方式を含む符号化方式により符号化し、複数のデータブロックに分割して生成した、前記ゾーン毎に異なるビット数の符号化データを記録する、
円盤状情報記録媒体の再生方法であって、
複数の前記データ記録領域のそれぞれから前記データブロックの符号化データを再生する再生ステップと、
前記データブロックの符号化データ及び次の前記データブロックの符号化データを使用して、前記データブロック又は次の前記データブロックの符号化データを復号化し、複数の前記データブロックから復号化されたデータを結合して１つのデータストリームを出力する復号化ステップと、
を有することを特徴とする再生方法。
【請求項１８】
（補正後）半径方向に分割された複数のゾーンを有し、
前記ゾーンが複数のデータ記録領域を有し、
前記データ記録領域が、ランレングスリミット符号化方式を含む符号化方式により符号化し、複数のデータブロックに分割し、前記データブロックの前に所定のデータを加えて生成した、前記ゾーン毎に異なるビット数の符号化データを記録する、
円盤状情報記録媒体の再生方法であって、
複数の前記データ記録領域のそれぞれから、データブロックと前記データブロックの前に更に記録された所定のデータとの再生信号を再生して出力する再生ステップと、
前記再生信号を２値化し、２値化信号を出力する２値化ステップと、
複数の前記データブロックの前記２値化信号を、少なくとも先頭のデータブロック以外の前記データブロックの前記所定のデータを除いて、前記データ記録領域からの再生順に結合し、結合された前記２値化信号をランレングスリミット符号化方式で復号化する復号化ステップと、
を有することを特徴とする再生方法。
【請求項１９】
ランレングスリミット符号化方式を含む符号化方式により符号化された符号化データのデータストリームを記録媒体から再生する再生ステップと、
前記データストリームの符号化データの数、符号化回数、又は復号化されたデータの数をカウントするカウンタステップと、
前記カウントした値に基づいて前記データストリームの最後の符号化データを検出するラスト符号化データ検出ステップと、
復号化の対象である符号化データが前記最後の符号化データであることを前記ラスト符号化データ検出部が検出すれば、少なくとも前記復号化の対象である符号化データ及び一定の値のデータを使用して前記復号化の対象である符号化データを復号化する復号化ステップと、
を有することを特徴とする再生方法。
【手続補正書】
【提出日】平成14年8月6日(2002.8.6)
【手続補正１】
【補正対象書類名】明細書
【補正対象項目名】特許請求の範囲
【補正方法】変更
【補正の内容】
【特許請求の範囲】
【請求項１】
半径方向に複数のゾーンに分割された円盤状情報記録媒体であって、
プリピットを有するプリピット領域と、
前記プリピット領域によって分断されたデータ記録領域であって、且つランレングスリミット符号化方式を含む符号化方式により符号化された符号化データからなる１個のデータストリームを分割したデータブロックを記録した複数のデータ記録領域と、
を有し、
前記データ記録領域のビット数が前記ゾーン毎に異なっており、
それぞれのゾーンの少なくとも１個のデータ記録領域において、少なくとも１ビットの所定の値のデータを差分演算の基準レベルとして前記データブロックの前に更に記録している、
ことを特徴とする記録媒体。
【請求項２】
前記所定の値のデータが、前記データ記録領域の前の前記データ記録領域の最後の１ビットの前記符号化データと同じ値のデータであることを特徴とする請求項１に記載の記録媒体。
【請求項３】
前記データブロックがランレングスリミット符号化方式による符号化前のデータ量に換算して２の整数倍のデータ量の前記符号化データを有することを特徴とする請求項１に記載の記録媒体。
【請求項４】
半径方向に分割された複数のゾーンを有し、前記ゾーンが複数のデータ記録領域を有し、前記データ記録領域が前記ゾーン毎に異なるビット数のデータを記録する円盤状情報記録媒体の記録装置であって、
ランレングスリミット符号化方式を含む符号化方式により入力データを符号化して生成された符号化データからなる１個のデータストリームを、前記データ記録領域のビット数に応じて分割した複数のデータブロックを生成する符号化部と、
分割された少なくとも１個の前記データブロックの先頭に少なくとも１ビットの所定の値のデータを差分演算の基準レベルとして追加して、追加されたデータを含むデータブロックを生成するデータ追加部と、
前記追加されたデータを含むデータブロックを前記データ記録領域毎に記録する記録部と、
を有することを特徴とする記録装置。
【請求項５】
前記所定の値のデータが、前の前記データブロックの最後の１ビットの符号化データと同じ値のデータであることを特徴とする請求項４に記載の記録装置。
【請求項６】
前記データブロックがランレングスリミット符号化方式による符号化前のデータ量に換算して２の整数倍のデータ量の前記符号化データを有することを特徴とする請求項４に記載の記録装置。
【請求項７】
削除
【請求項８】
半径方向に分割された複数のゾーンを有し、
プリピットを有するプリピット領域と、
前記プリピット領域によって分断されたデータ記録領域であって、且つランレングスリミット符号化方式を含む符号化方式により符号化された符号化データからなる１個のデータストリームを分割したデータブロックを記録した複数のデータ記録領域と、
を有し、
前記データ記録領域のビット数が前記ゾーン毎に異なっており、
それぞれのゾーンのデータ記録領域において、少なくとも１ビットの所定の値のデータを差分演算の基準レベルとして前記データブロックの前に更に記録している円盤状情報記録媒体の再生装置であって、
前記データ記録領域に記録されている信号を再生して再生信号を出力する再生部と、
連続する２個の前記再生信号の差分である差分信号を生成する差分検出部と、
前記差分信号に基づいて、前記所定の値のデータを除いて２値化されたデータを生成する２値化データ生成部と、
複数の前記データ記録領域の前記２値化されたデータをランレングスリミット符号化方式で復号化し、結合して１つのデータストリームを生成する復号化部と、
を有することを特徴とする再生装置。
【請求項９】
前記円盤状情報記録媒体の前記データ記録領域が、ランレングスリミット符号化方式を含む符号化方式により符号化し、複数のデータブロックに分割して生成した、前記ゾーン毎に異なるビット数の符号化データを記録しており、
前記再生部が、複数の前記データ記録領域のそれぞれから前記データブロックの符号化データを再生し、
前記復号化部が、前記データブロックの符号化データ及び次の前記データブロックの符号化データを使用して、前記データブロック又は次の前記データブロックの符号化データを復号化し、複数の前記データブロックから復号化されたデータを結合して１つのデータストリームを出力する、
ことを特徴とする請求項８に記載の再生装置。
【請求項１０】
削除
【請求項１１】
ランレングスリミット符号化方式を含む符号化方式により符号化された符号化データのデータストリームを記録媒体から再生する再生部と、
前記データストリームの符号化データの数、符号化回数、又は復号化されたデータの数をカウントするカウンタと、
前記カウンタの値に基づいて前記データストリームの最後の符号化データを検出するラスト符号化データ検出部と、
復号化の対象である符号化データが前記最後の符号化データであることを前記ラスト符号化データ検出部が検出すれば、少なくとも前記復号化の対象である符号化データ及び一定の値のデータを使用して前記復号化の対象である符号化データを復号化する復号化部と、
を有することを特徴とする再生装置。
【請求項１２】
半径方向に分割された複数のゾーンを有し、前記ゾーンが複数のデータ記録領域を有し、前記データ記録領域が前記ゾーン毎に異なるビット数のデータを記録する円盤状情報記録媒体の記録方法であって、
ランレングスリミット符号化方式を含む符号化方式により入力データを符号化して生成された符号化データからなる１個のデータストリームを、前記データ記録領域のビット数に応じて分割した複数のデータブロックを生成する符号化ステップと、
分割された少なくとも１個の前記データブロックの先頭に少なくとも１ビットの所定の値のデータを差分演算の基準レベルとして追加して、追加されたデータを含むデータブロックを生成するデータ追加ステップと、
前記追加されたデータを含むデータブロックを前記データ記録領域毎に記録する記録ステップと、
を有することを特徴とする記録方法。
【請求項１３】
前記所定の値のデータが、前の前記データブロックの最後の１ビットの符号化データと同じ値のデータであることを特徴とする請求項１２に記載の記録方法。
【請求項１４】
前記データブロックがランレングスリミット符号化方式による符号化前のデータ量に換算して２の整数倍のデータ量の前記符号化データを有することを特徴とする請求項１２に記載の記録方法。
【請求項１５】
削除
【請求項１６】
半径方向に分割された複数のゾーンを有し、
プリピットを有するプリピット領域と、
前記プリピット領域によって分断されたデータ記録領域であって、且つランレングスリミット符号化方式を含む符号化方式により符号化された符号化データからなる１個のデータストリームを分割したデータブロックを記録した複数のデータ記録領域と、
を有し、
前記データ記録領域のビット数が前記ゾーン毎に異なっており、
それぞれのゾーンのデータ記録領域において、少なくとも１ビットの所定の値のデータを差分演算の基準レベルとして前記データブロックの前に更に記録している円盤状情報記録媒体の再生方法であって、
前記データ記録領域に記録されている信号を再生して再生信号を出力する再生ステップと、
連続する２個の前記再生信号の差分である差分信号を生成する差分検出ステップと、
前記差分信号に基づいて、前記所定の値のデータを除いて２値化されたデータを生成する２値化データ生成ステップと、
複数の前記データ記録領域の前記２値化されたデータをランレングスリミット符号化方式で復号化し、結合して１つのデータストリームを生成する復号化ステップと、
を有することを特徴とする再生方法。
【請求項１７】
前記円盤状情報記録媒体の前記データ記録領域が、ランレングスリミット符号化方式を含む符号化方式により符号化し、複数のデータブロックに分割して生成した、前記ゾーン毎に異なるビット数の符号化データを記録しており、
前記再生ステップにおいて、複数の前記データ記録領域のそれぞれから前記データブロックの符号化データを再生し、
前記復号化ステップにおいて、前記データブロックの符号化データ及び次の前記データブロックの符号化データを使用して、前記データブロック又は次の前記データブロックの符号化データを復号化し、複数の前記データブロックから復号化されたデータを結合して１つのデータストリームを出力する、
ことを特徴とする請求項１６に記載の再生方法。
【請求項１８】
削除
【請求項１９】
ランレングスリミット符号化方式を含む符号化方式により符号化された符号化データのデータストリームを記録媒体から再生する再生ステップと、
前記データストリームの符号化データの数、符号化回数、又は復号化されたデータの数をカウントするカウンタステップと、
前記カウントした値に基づいて前記データストリームの最後の符号化データを検出するラスト符号化データ検出ステップと、
復号化の対象である符号化データが前記最後の符号化データであることを前記ラスト符号化データ検出部が検出すれば、少なくとも前記復号化の対象である符号化データ及び一定の値のデータを使用して前記復号化の対象である符号化データを復号化する復号化ステップと、
を有することを特徴とする再生方法。
【手続補正書】
【提出日】平成14年8月6日(2002.8.6)
【手続補正１】
【補正対象書類名】明細書
【補正対象項目名】特許請求の範囲
【補正方法】変更
【補正の内容】
【特許請求の範囲】
【請求項１】
半径方向に複数のゾーンに分割された円盤状情報記録媒体であって、
プリピットを有するプリピット領域と、
前記プリピット領域によって分断されたデータ記録領域であって、且つランレングスリミット符号化方式を含む符号化方式により符号化された符号化データからなる１個のデータストリームを分割したデータブロックを記録した複数のデータ記録領域と、
を有し、
前記データ記録領域のビット数が前記ゾーン毎に異なっており、
それぞれのゾーンの少なくとも１個のデータ記録領域において、少なくとも１ビットの所定の値のデータを差分演算の基準レベルとして前記データブロックの前に更に記録している、
ことを特徴とする記録媒体。
【請求項２】
前記所定の値のデータが、前記データ記録領域の前の前記データ記録領域の最後の１ビットの前記符号化データと同じ値のデータであることを特徴とする請求項１に記載の記録媒体。
【請求項３】
前記データブロックがランレングスリミット符号化方式による符号化前のデータ量に換算して２の整数倍のデータ量の前記符号化データを有することを特徴とする請求項１に記載の記録媒体。
【請求項４】
半径方向に分割された複数のゾーンを有し、前記ゾーンが複数のデータ記録領域を有し、前記データ記録領域が前記ゾーン毎に異なるビット数のデータを記録する円盤状情報記録媒体の記録装置であって、
ランレングスリミット符号化方式を含む符号化方式により入力データを符号化して生成された符号化データからなる１個のデータストリームを、前記データ記録領域のビット数に応じて分割した複数のデータブロックを生成する符号化部と、
分割された少なくとも１個の前記データブロックの先頭に少なくとも１ビットの所定の値のデータを差分演算の基準レベルとして追加して、追加されたデータを含むデータブロックを生成するデータ追加部と、
前記追加されたデータを含むデータブロックを前記データ記録領域毎に記録する記録部と、
を有することを特徴とする記録装置。
【請求項５】
前記所定の値のデータが、前の前記データブロックの最後の１ビットの符号化データと同じ値のデータであることを特徴とする請求項４に記載の記録装置。
【請求項６】
前記データブロックがランレングスリミット符号化方式による符号化前のデータ量に換算して２の整数倍のデータ量の前記符号化データを有することを特徴とする請求項４に記載の記録装置。
【請求項７】
削除
【請求項８】
半径方向に分割された複数のゾーンを有し、
プリピットを有するプリピット領域と、
前記プリピット領域によって分断されたデータ記録領域であって、且つランレングスリミット符号化方式を含む符号化方式により符号化された符号化データからなる１個のデータストリームを分割したデータブロックを記録した複数のデータ記録領域と、
を有し、
前記データ記録領域のビット数が前記ゾーン毎に異なっており、
それぞれのゾーンのデータ記録領域において、少なくとも１ビットの所定の値のデータを差分演算の基準レベルとして前記データブロックの前に更に記録している円盤状情報記録媒体の再生装置であって、
前記データ記録領域に記録されている信号を再生して再生信号を出力する再生部と、
連続する２個の前記再生信号の差分である差分信号を生成する差分検出部と、
前記差分信号に基づいて、前記所定の値のデータを除いて２値化されたデータを生成する２値化データ生成部と、
複数の前記データ記録領域の前記２値化されたデータをランレングスリミット符号化方式で復号化し、結合して１つのデータストリームを生成する復号化部と、
を有することを特徴とする再生装置。
【請求項９】
前記円盤状情報記録媒体の前記データ記録領域が、ランレングスリミット符号化方式を含む符号化方式により符号化し、複数のデータブロックに分割して生成した、前記ゾーン毎に異なるビット数の符号化データを記録しており、
前記再生部が、複数の前記データ記録領域のそれぞれから前記データブロックの符号化データを再生し、
前記復号化部が、前記データブロックの符号化データ及び次の前記データブロックの符号化データを使用して、前記データブロック又は次の前記データブロックの符号化データを復号化し、複数の前記データブロックから復号化されたデータを結合して１つのデータストリームを出力する、
ことを特徴とする請求項８に記載の再生装置。
【請求項１０】
削除
【請求項１１】
ランレングスリミット符号化方式を含む符号化方式により符号化された符号化データのデータストリームを記録媒体から再生する再生部と、
前記データストリームの符号化データの数、符号化回数、又は復号化されたデータの数をカウントするカウンタと、
前記カウンタの値に基づいて前記データストリームの最後の符号化データを検出するラスト符号化データ検出部と、
復号化の対象である符号化データが前記最後の符号化データであることを前記ラスト符号化データ検出部が検出すれば、少なくとも前記復号化の対象である符号化データ及び一定の値のデータを使用して前記復号化の対象である符号化データを復号化する復号化部と、
を有することを特徴とする再生装置。
【請求項１２】
半径方向に分割された複数のゾーンを有し、前記ゾーンが複数のデータ記録領域を有し、前記データ記録領域が前記ゾーン毎に異なるビット数のデータを記録する円盤状情報記録媒体の記録方法であって、
ランレングスリミット符号化方式を含む符号化方式により入力データを符号化して生成された符号化データからなる１個のデータストリームを、前記データ記録領域のビット数に応じて分割した複数のデータブロックを生成する符号化ステップと、
分割された少なくとも１個の前記データブロックの先頭に少なくとも１ビットの所定の値のデータを差分演算の基準レベルとして追加して、追加されたデータを含むデータブロックを生成するデータ追加ステップと、
前記追加されたデータを含むデータブロックを前記データ記録領域毎に記録する記録ステップと、
を有することを特徴とする記録方法。
【請求項１３】
前記所定の値のデータが、前の前記データブロックの最後の１ビットの符号化データと同じ値のデータであることを特徴とする請求項１２に記載の記録方法。
【請求項１４】
前記データブロックがランレングスリミット符号化方式による符号化前のデータ量に換算して２の整数倍のデータ量の前記符号化データを有することを特徴とする請求項１２に記載の記録方法。
【請求項１５】
削除
【請求項１６】
半径方向に分割された複数のゾーンを有し、
プリピットを有するプリピット領域と、
前記プリピット領域によって分断されたデータ記録領域であって、且つランレングスリミット符号化方式を含む符号化方式により符号化された符号化データからなる１個のデータストリームを分割したデータブロックを記録した複数のデータ記録領域と、
を有し、
前記データ記録領域のビット数が前記ゾーン毎に異なっており、
それぞれのゾーンのデータ記録領域において、少なくとも１ビットの所定の値のデータを差分演算の基準レベルとして前記データブロックの前に更に記録している円盤状情報記録媒体の再生方法であって、
前記データ記録領域に記録されている信号を再生して再生信号を出力する再生ステップと、
連続する２個の前記再生信号の差分である差分信号を生成する差分検出ステップと、
前記差分信号に基づいて、前記所定の値のデータを除いて２値化されたデータを生成する２値化データ生成ステップと、
複数の前記データ記録領域の前記２値化されたデータをランレングスリミット符号化方式で復号化し、結合して１つのデータストリームを生成する復号化ステップと、
を有することを特徴とする再生方法。
【請求項１７】
前記円盤状情報記録媒体の前記データ記録領域が、ランレングスリミット符号化方式を含む符号化方式により符号化し、複数のデータブロックに分割して生成した、前記ゾーン毎に異なるビット数の符号化データを記録しており、
前記再生ステップにおいて、複数の前記データ記録領域のそれぞれから前記データブロックの符号化データを再生し、
前記復号化ステップにおいて、前記データブロックの符号化データ及び次の前記データブロックの符号化データを使用して、前記データブロック又は次の前記データブロックの符号化データを復号化し、複数の前記データブロックから復号化されたデータを結合した１つのデータストリームを出力する、
ことを特徴とする請求項１６に記載の再生方法。
【請求項１８】
削除
【請求項１９】
ランレングスリミット符号化方式を含む符号化方式により符号化された符号化データのデータストリームを記録媒体から再生する再生ステップと、
前記データストリームの符号化データの数、符号化回数、又は復号化されたデータの数をカウントするカウンタステップと、
前記カウントした値に基づいて前記データストリームの最後の符号化データを検出するラスト符号化データ検出ステップと、
復号化の対象である符号化データが前記最後の符号化データであることを前記ラスト符号化データ検出部が検出すれば、少なくとも前記復号化の対象である符号化データ及び一定の値のデータを使用して前記復号化の対象である符号化データを復号化する復号化ステップと、
を有することを特徴とする再生方法。
【国際調査報告】
2002029811.tif 000025
2002029811.tif 000026
2002029811.tif 000027